(57)【要約】  本願は、アクセスおよびモビリティ管理ポリシーアソシエーションの終了方法を提供する。方法は、第１のＡＭＦによって、第１のＰＣＦの第１のＰＣＦ識別子情報を第２のＡＭＦに送信する段階と、第１のＰＣＦに第１の削除要求情報を送信する段階であって、ここで、第１の削除要求情報は、第１のＰＣＦと第１のＡＭＦとの間の端末装置のためのＡＭポリシーアソシエーションを削除するように第１のＰＣＦに要求するために使用され、第１のＰＣＦは第２のＰＣＦとは異なる段階と、第１のＡＭＦと第１のＰＣＦとの両方によって、端末装置のためのＡＭポリシー制御情報を削除する段階と、を含む。したがって、システムリソースを節約することができる。
2021525041.tif 000002
【特許請求の範囲】
【請求項１】
アクセスおよびモビリティ管理ポリシーアソシエーションの終了方法であって、
第１のアクセスおよびモビリティ管理機能であるＡＭＦによって、第１のＰＣＦの第１のポリシー制御機能であるＰＣＦの識別子情報を第２のＡＭＦに送信する段階と、
前記第１のＡＭＦによって、前記第１のＰＣＦに第１の削除要求情報を送信する段階であって、前記第１の削除要求情報は、前記第１のＰＣＦに、端末装置のための前記第１のＡＭＦと前記第１のＰＣＦとの間のＡＭポリシーアソシエーションを削除するように要求するために使用され、前記第１のＰＣＦは、第２のＰＣＦとは異なる、段階と、
前記第１のＡＭＦによって、前記端末装置のためのＡＭポリシー制御情報を削除する段階であって、前記第２のＡＭＦは、現在前記端末装置にサービスを提供するＡＭＦであり、前記第１のＡＭＦは、前記第２のＡＭＦが前記端末装置にサービスを提供する前に前記端末装置にサービスを提供するＡＭＦであり、前記第２のＰＣＦは、現在前記端末装置にサービスを提供するＰＣＦであり、前記第１のＰＣＦは、前記第２のＰＣＦが前記端末装置にサービスを提供する前に前記端末装置にサービスを提供するＰＣＦである段階と、を備える方法。
【請求項２】
前記第１のＡＭＦによって前記第１のＰＣＦに第１の削除要求情報を送信する前に、前記方法は、
前記第１のＡＭＦによって、前記第２のＡＭＦによって送信された前記第２のＰＣＦの第２のＰＣＦ識別子情報を受信する段階、または、
前記第１のＡＭＦによって、前記第２のＡＭＦによって送信された第１の指示情報を受信する段階であって、前記第１の指示情報は、前記第１のＰＣＦが前記第２のＰＣＦと異なることを示すために使用される段階、をさらに備える請求項１に記載の方法。
【請求項３】
前記第１のＡＭＦによって、前記第１のＰＣＦに第１の削除要求情報を送信する前記段階は、
前記第１のＡＭＦが、予め設定された期間内に、前記第１のＰＣＦによって送信された第２の削除要求情報を受信していない場合、前記第１のＡＭＦによって、前記第１の削除要求情報を第２のＡＭＦに送信する段階であって、前記第２の削除要求情報は、前記第１のＡＭＦに、前記第１のＰＣＦと前記第１のＡＭＦとの間の前記端末装置のための前記ＡＭポリシー制御情報を削除するように要求するために使用される、段階を備える、請求項１または２に記載の方法。
【請求項４】
前記方法は、
第１のＡＭＦが統一されたデータ管理ＵＤＭから送信された登録解除情報を受信した後、前記第１のＡＭＦによってタイマーを開始する段階であって、前記タイマーの期間は予め設定された期間である段階、または、
前記第１のＡＭＦが第１のＰＣＦ識別子情報を前記第２のＡＭＦに送信した後、前記第１のＡＭＦによって、前記タイマーを開始する段階であって、前記タイマーの期間は予め設定された期間である段階、をさらに備える、請求項３に記載の方法。
【請求項５】
アクセスおよびモビリティ管理ポリシーアソシエーションの終了装置であって、前記装置は、
第１のＰＣＦの第１のポリシー制御機能ＰＣＦ識別子情報を第２のＡＭＦに送信するように構成されている送信ユニットであって、
前記送信ユニットは、前記第１のＰＣＦに第１の削除要求情報を送信するようにさらに構成されており、前記第１の削除要求情報は、前記第１のＰＣＦと前記装置との間の端末装置のためのＡＭポリシーアソシエーションを削除するように前記第１のＰＣＦに要求するために使用され、前記第１のＰＣＦは、第２のＰＣＦとは異なるものである、送信ユニットと、
処理ユニットであって、前記処理ユニットは、前記端末装置のためのＡＭポリシー制御情報を削除するように構成されており、
前記第２のＡＭＦは、現在前記端末装置にサービスを提供するＡＭＦであり、前記装置は、前記第２のＡＭＦが前記端末装置にサービスを提供する前に前記端末装置にサービスを提供するＡＭＦであり、前記第２のＰＣＦは、現在前記端末装置にサービスを提供するＰＣＦであり、前記第１のＰＣＦは、前記第２のＰＣＦが前記端末装置にサービスを提供する前に前記端末装置にサービスを提供するＰＣＦである、処理ユニットと、を含む。
【請求項６】
前記装置は、受信ユニットをさらに備え、
前記送信ユニットは、
前記受信ユニットが、予め設定された期間内に、前記第１のＰＣＦによって送信された第２の削除要求情報を受信していない場合、前記第１の削除要求情報を前記第２のＡＭＦに送信し、前記第２の削除要求情報は、前記第１のＰＣＦと前記装置との間で、前記端末装置のための前記ＡＭポリシー制御情報を削除するように前記装置に要求するために使用される、ように具体的に構成される、請求項５に記載の装置。
【請求項７】
前記装置は前記受信ユニットをさらに備え、
前記処理ユニットは、
前記受信ユニットが統一されたデータ管理ＵＤＭから送信された登録解除情報を受信した後、タイマーを開始し、前記タイマーの期間は前記予め設定された期間であり、または、
前記送信ユニットが第１のＰＣＦ識別子情報を前記第２のＡＭＦに送信した後、タイマーを開始し、前記タイマーの期間は前記予め設定された期間であるようにさらに構成される、請求項６に記載の装置。
【請求項８】
前記装置は受信ユニットをさらに備え、
前記受信ユニットは、
前記第２のＡＭＦによって送信された前記第２のＰＣＦの第２のＰＣＦ識別子情報を受信する、または、
前記第２のＡＭＦによって送信された第１の指示情報を受信し、前記第１の指示情報は、前記第１のＰＣＦが前記第２のＰＣＦと異なることを示すために使用される、ように構成される、請求項５に記載の装置。
【請求項９】
システムであって、前記システムは、第１のアクセスおよびモビリティ管理機能であるＡＭＦと、第２のＡＭＦとを備え、
前記第１のＡＭＦは、第１のＰＣＦの第１のポリシー制御機能であるＰＣＦの識別子情報を前記第２のＡＭＦに送信するように構成されており、
前記第２のＡＭＦは、第２のＰＣＦの第２のＰＣＦの識別子情報を前記第１のＡＭＦに送信するように構成され、前記第１のＰＣＦは前記第２のＰＣＦとは異なるものであり、または、前記第２のＡＭＦは、第１の指示情報を前記第１のＡＭＦに送信するように構成され、前記第１の指示情報は、前記第１のＰＣＦが前記第２のＰＣＦとは異なるものであることを示すために使用され、
前記第１のＡＭＦは、前記第１のＰＣＦに第１の削除要求情報を送信するように構成されており、前記第１の削除要求情報は、前記第１のＰＣＦに、端末装置のために前記第１のＰＣＦと前記第１のＡＭＦとの間のＡＭポリシーアソシエーションを削除するように要求するために使用され、
前記第１のＡＭＦは、前記端末装置のＡＭポリシー制御情報を削除するようにさらに構成されており、
前記第２のＡＭＦは、現在前記端末装置にサービスを提供するＡＭＦであり、前記第１のＡＭＦは、前記第２のＡＭＦが前記端末装置にサービスを提供する前に前記端末装置にサービスを提供するＡＭＦであり、前記第２のＰＣＦは、現在前記端末装置にサービスを提供するＰＣＦであり、前記第１のＰＣＦは、前記第２のＰＣＦが前記端末装置にサービスを提供する前に前記端末装置にサービスを提供するＰＣＦである、システム。
【請求項１０】
前記システムはさらに第１のＰＣＦを備え、前記第１のＰＣＦは、前記端末装置のために前記第１のＰＣＦと前記第１のＡＭＦとの間のＡＭポリシーアソシエーションを削除するように構成されている、請求項９に記載のシステム。
【発明の詳細な説明】
【技術分野】
【０００１】
本願は、通信分野に関するものであり、より具体的には、通信分野におけるアクセスおよびモビリティ管理ポリシーアソシエーションの終了方法および装置に関するものである。
【背景技術】
【０００２】
第５世代（ｔｈｅ  ｆｉｆｔｈ  ｇｅｎｅｒａｔｉｏｎ、５Ｇ）のモバイル通信システムでは、端末装置が５Ｇネットワークにアクセスするとき、端末装置はアクセスおよびモビリティ管理機能ＡＭＦへの登録手順を開始する。そこで、ＡＭＦは、ポリシー制御機能ＰＣＦを選択し、選択したＰＣＦとアクセスおよびモビリティ管理ＡＭポリシーアソシエーションを確立し、ＡＭＦとＰＣＦとの間でデータ送信を実施するようにする。
【０００３】
あるシナリオでは、端末装置の移動または他の理由により端末装置にサービスを提供するＡＭＦが変更された場合、例えば、端末装置にサービスを提供するＡＭＦが第１のＡＭＦから第２のＡＭＦに変更された場合、第２のＡＭＦが第１のＡＭＦとＡＭポリシーアソシエーションを確立した第１のＰＣＦを再利用できる場合、第１のＡＭＦは、第２のＡＭＦがＰＣＦを選択するときに第１のＰＣＦを再利用できるように、第１のＰＣＦの識別子を第２のＡＭＦに送信してもよい。このように、端末装置のための第１のＰＣＦに記憶されているＡＭポリシー制御情報を削除する必要はない。
【０００４】
しかしながら、前述のシナリオでは、第２のＡＭＦによって選択されたＰＣＦが第１のＰＣＦでない場合、第１のＰＣＦと第１のＡＭＦとの間のＡＭポリシーアソシエーションを削除することができず、第１のＰＣＦと第１のＡＭＦに記憶されている端末装置のためのＡＭＦポリシー制御情報もまた削除することができない。したがって、システムリソースが浪費される。
【０００５】
したがって、システムリソースを節約できる技術を提供する必要がある。
【発明の概要】
【０００６】
本願は、システムリソースを節約するために、アクセスおよびモビリティ管理ポリシーアソシエーションの終了方法および装置を提供する。
【０００７】
第１の態様によれば、アアクセスおよびモビリティ管理ポリシーアソシエーションの終了方法が提供される。  方法は、第１のアクセスおよびモビリティ管理機能ＡＭＦによって、第１のＰＣＦの第１のポリシー制御機能ＰＣＦ識別子情報を第２のＡＭＦに送信する段階と、
第１のＡＭＦによって、第１のＰＣＦに第１の削除要求情報を送信する段階であって、ここで、第１の削除要求情報は、第１のＰＣＦに、第１のＡＭＦと第１のＰＣＦとの間の端末装置のためのＡＭポリシーアソシエーションを削除するように要求するために使用され、第１のＰＣＦは、第２のＰＣＦとは異なる、段階と、
第１のＡＭＦによって、端末装置のためのＡＭポリシー制御情報を削除する段階であって、ここで、第２のＡＭＦは、現在、端末装置にサービスを提供するＡＭＦであり、第１のＡＭＦは、第２のＡＭＦが端末装置にサービスを提供する前に端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである段階と、を備える。
【０００８】
したがって、本願の実施形態で提供されるアクセスおよびモビリティ管理ポリシーアソシエーションの終了方法によれば、第２のＡＭＦによって選択された第２のＰＣＦが第１のＰＣＦと異なる場合、第１のＡＭＦは、第１のＰＣＦに対して、第１のＰＣＦにＡＭポリシーアソシエーションの削除を命令するために使用される第１の削除要求情報を送信することから、第１のＰＣＦは、対応するＡＭポリシー制御情報を削除することができ、それによりシステムリソースを効果的に節約することができる。
【０００９】
可能な実施形態では、第１のＡＭＦによって、第１のＰＣＦに第１の削除要求情報を送信する段階は、
第１のＡＭＦが、予め設定された期間内に、第１のＰＣＦによって送信された第２の削除要求情報を受信していない場合、第１のＡＭＦによって、第１の削除要求情報を第２のＡＭＦに送信する段階であって、ここで、第２の削除要求情報は、第１のＡＭＦに、端末装置のために第１のＰＣＦと第１のＡＭＦとの間のＡＭポリシー制御情報を削除するように要求するために使用される、段階を含む。
【００１０】
可能な実施形態では、方法は、
第１のＡＭＦが統一されたデータ管理ＵＤＭから送信された登録解除情報を受信した後、第１のＡＭＦがタイマーを開始する段階であって、ここで、タイマーの期間は予め設定された期間である、段階をさらに含む。
【００１１】
ＵＤＭが第１のＡＭＦに登録解除メッセージを送信する時点は、第２のＡＭＦがＰＣＦを選択する時点に比較的近いため、登録解除メッセージを受信した後に第１のＡＭＦがタイマーを開始すると、時間を節約できる可能性がある。
【００１２】
可能な実施形態では、方法は、
第１のＡＭＦが第１のＰＣＦ識別子情報を第２のＡＭＦに送信した後、第１のＡＭＦによって、タイマーを開始する段階であって、ここで、タイマーの期間は予め設定された期間である段階、をさらに含む。
【００１３】
可能な実施形態では、第１のＡＭＦによって第１のＰＣＦに第１の削除要求情報を送信する前に、方法は、
第１のＡＭＦによって、第２のＡＭＦによって送信された第２のＰＣＦの第２のＰＣＦ識別子情報を受信する段階、または、
第１のＡＭＦによって、第２のＡＭＦによって送信された第１の指示情報を受信する段階であって、ここで、第１の指示情報は、第１のＰＣＦが第２のＰＣＦとは異なることを示すために使用される段階、をさらに含む。
【００１４】
第２の態様によれば、アクセスおよびモビリティ管理ポリシーアソシエーションの終了方法が提供される。方法は、
第１のポリシー制御機能ＰＣＦによって、第１のアクセスおよびモビリティ管理機能ＡＭＦによって送信された第１の削除要求情報を受信する段階であって、ここで、第１の削除要求情報は、第１のＰＣＦと第１のＡＭＦとの間の端末装置のためのＡＭポリシーアソシエーションを削除するように第１のＰＣＦに要求するために使用され、第１のＰＣＦは、第２のＰＣＦとは異なるものである、段階と、
第１のＰＣＦによって、端末装置のためのＡＭポリシー制御情報を削除する段階であって、ここで、第１のＡＭＦは、第２のＡＭＦが端末装置にサービスを提供する前に端末装置にサービスを提供するＡＭＦであり、第２のＡＭＦは、現在、端末装置にサービスを提供するＡＭＦであり、第１のＰＣＦは、第２のＰＣＦが端末装置にサービスを提供する前に端末装置にサービスを提供するＰＣＦであり、第２のＰＣＦは、現在、端末装置にサービスを提供するＰＣＦである段階と、を含む。
【００１５】
したがって、本願の実施形態で提供されるアクセスおよびモビリティ管理ポリシーアソシエーションの終了方法によれば、第２のＡＭＦによって選択された第２のＰＣＦが第１のＰＣＦと異なる場合、第１のＡＭＦは、第１のＰＣＦに対して、第１のＰＣＦにＡＭポリシーアソシエーションの削除を命令するために使用される第１の削除要求情報を送信することから、第１のＰＣＦは、対応するＡＭポリシー制御情報を削除することができ、それによりシステムリソースを効果的に節約することができる。
【００１６】
第３の態様によれば、アクセスおよびモビリティ管理ポリシーアソシエーションの終了方法が提供される。方法は、
第２のアクセスおよびモビリティ管理機能ＡＭＦによって、第２のＰＣＦの第２のポリシー制御機能ＰＣＦ識別子情報を第１のＡＭＦに送信する段階、または、
第２のＡＭＦによって、第１のＡＭＦに第１の指示情報を送信する段階であって、ここで、第１の指示情報は、第２のＰＣＦが第１のＰＣＦと異なることを示すために使用され、ここで、第２のＡＭＦは、現在端末装置にサービスを提供するＡＭＦであり、第１のＡＭＦは、第２のＡＭＦが端末装置にサービスを提供する前に端末装置にサービスを提供するＡＭＦであり、第２のＰＣＦは、現在端末装置にサービスを提供するＰＣＦであり、第１のＰＣＦは、第２のＰＣＦが端末装置にサービスを提供する前に端末装置にサービスを提供するＰＣＦである段階、を含む。
【００１７】
したがって、本願の実施形態で提供されるアクセスおよびモビリティ管理ポリシーアソシエーションの終了方法によれば、第２のＡＭＦは、第２のＰＣＦの識別子情報または第１の指示情報を第１のＡＭＦに送信してよく、第１のＡＭＦは、第２のＰＣＦが第１のＰＣＦと同一であるかを決定してもよい。このように、第２のＰＣＦが第１のＰＣＦと異なる場合、第１のＡＭＦは、第１のＰＣＦに対して、第１のＰＣＦにＡＭポリシーアソシエーションの削除を命令するために使用される情報を送信してもよいことから、第１のＰＣＦは、対応するＡＭポリシー制御情報を削除し、システムリソースを効果的に節約することができる。
【００１８】
第４の態様によれば、アクセスおよびモビリティ管理ポリシーアソシエーションの終了方法が提供される。方法は、
第２のポリシー制御機能ＰＣＦによって、第２のアクセスおよびモビリティ管理機能ＡＭＦによって送信されるアソシエーション要求情報を受信する段階であって、ここで、アソシエーション要求情報は、端末装置のために第２のＰＣＦとＡＭポリシーアソシエーションを確立することを要求するために使用され、アソシエーション要求情報は、第２のＰＣＦが第１のＰＣＦと同一であるか否かを決定するために使用される第２の指示情報をさらに含む段階と、
第２のＰＣＦによって、第２の指示情報に従って、第２の削除要求情報を第１のＡＭＦに送信する段階であって、ここで、第２の削除要求情報は、第１のＡＭＦに、第１のＰＣＦと第１のＡＭＦとの間の端末装置のためのＡＭポリシー制御情報を削除するように要求するために使用される段階と、
第１のＰＣＦによって、端末装置のためのＡＭポリシー制御情報を保持する段階であって、ここで、第２のＡＭＦは、現在、端末装置にサービスを提供するＡＭＦであり、第１のＡＭＦは、第２のＡＭＦが端末装置にサービスを提供する前に端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである段階、を含む。
【００１９】
したがって、本願の実施形態で提供されるアクセスおよびモビリティ管理ポリシーアソシエーションの終了方法によれば、第２のＡＭＦとＡＭポリシーアソシエーションを確立した第２のＰＣＦは、第２のＡＭＦから送信され、第１のＡＭＦとＡＭポリシーアソシエーションを確立した第１のＰＣＦが第２のＰＣＦと同一であるか否かを決定するために使用される第２の指示情報を受信する。ここで、第１のＡＭＦは、第２のＡＭＦが端末装置にサービスを提供する前の端末装置にサービスを提供するＡＭＦであり、第２のＰＣＦは、第２の指示情報に従って削除要求情報を送信することから、第２のＡＭＦは、端末装置のためのＡＭポリシー制御情報を削除することができ、システムリソースも節約される。
【００２０】
可能な実施形態では、第２のＰＣＦによって、第２の指示情報に従って第１のＡＭＦに第２の削除要求情報を送信する段階は、
第１のＰＣＦが第２のＰＣＦと同一である場合、第２のＰＣＦによって、第２の削除要求情報を第１のＡＭＦに送信する段階を含む。
【００２１】
可能な実施形態では、第２の指示情報は、第１のＰＣＦの第１のＰＣＦ識別子情報を含み、および方法は、
第１のＰＣＦ識別子情報と第２のＰＣＦとに基づいて、第２のＰＣＦによって、第１のＰＣＦが第２のＰＣＦと同一であることを決定する段階をさらに含む。
【００２２】
したがって、本願の実施形態で提供されるアクセスおよびモビリティ管理ポリシーアソシエーションの終了方法によれば、第２のＰＣＦは、第２のＡＭＦから送信された第１のＰＣＦの識別子（すなわち、第１のＰＣＦの識別子情報）を受信して、第１のＰＣＦの識別子と第２のＰＣＦの識別子とに基づいて、２つのＰＣＦが同一であるかを決定するようにしてもよい。したがって、第１のＰＣＦが第２のＰＣＦと同一である場合に、削除要求情報を送信することから、第１のＡＭＦは、端末装置のためのＡＭポリシー制御情報を削除するため、システムリソースも節約される。
【００２３】
第５の態様によれば、アクセスおよびモビリティ管理ポリシーアソシエーションの終了方法が提供される。方法は、
第１のアクセスおよびモビリティ管理機能ＡＭＦによって、第２のポリシー制御機能ＰＣＦによって送信された第２の削除要求情報を受信する段階であって、ここで、第２の削除要求情報は、第１のＡＭＦに、第１のＰＣＦと第１のＡＭＦとの間の端末装置のためのＡＭポリシー制御情報の削除を要求するために使用され、第１のＰＣＦは、第２のＰＣＦと同一である段階と、
第１のＡＭＦによって、端末装置のためのＡＭポリシー制御情報を削除する段階であって、ここで、第１のＡＭＦは、第２のＡＭＦが端末装置にサービスを提供する前に端末装置にサービスを提供するＡＭＦであり、第２のＡＭＦは、現在、端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである段階と、を含む。
【００２４】
したがって、本願の実施形態で提供されるアクセスおよびモビリティ管理ポリシーアソシエーションの終了方法によれば、第１のＰＣＦとの間でＡＭポリシーアソシエーションを確立した第１のＡＭＦが、第２のＡＭＦから送信された受信した第２の削除要求情報に従って、端末装置のためのＡＭポリシー制御情報を削除することから、システムリソースを節約することができる。
【００２５】
第６の態様によれば、アクセスおよびモビリティ管理ポリシーアソシエーションの終了方法が提供される。方法は、
第３のポリシー制御機能ＰＣＦによって、第３のアクセスおよびモビリティ機能ＡＭＦによって送信され、端末装置の第３のＰＣＦとのＡＭポリシーアソシエーションの確立を要求するために使用される第１のアソシエーション要求情報を受信する段階であって、ここで、第１のアソシエーション要求情報は、第３のＡＭＦを識別するために使用される第３のＡＭＦ識別子情報をさらに含む、段階と、
第３のポリシー制御機能ＰＣＦによって、第４のアクセスおよびモビリティ管理機能ＡＭＦによって送信された第２のアソシエーション要求情報を受信する段階であって、ここで、第２のアソシエーション要求情報は、端末装置のための第３のＰＣＦとのＡＭポリシーアソシエーションの確立を要求するために使用され、第２のアソシエーション要求情報は、第４のＡＭＦを識別するために使用される第４のＡＭＦ識別子情報をさらに含む段階と、
第３のＰＣＦによって、第３のＡＭＦによって送信された第３の削除要求情報を受信する段階であって、ここで、第３の削除要求情報は、第３のＰＣＦに、端末装置のために第３のＰＣＦと第３のＡＭＦとの間のＡＭポリシーアソシエーションを削除するように要求するために使用され、第３の削除要求情報は、第３のＡＭＦの識別子情報をさらに含む段階と、
第３のＰＣＦにより、第４のＡＭＦ識別子情報と第３の削除要求情報とに基づいて、端末装置のためのＡＭポリシー制御情報を保持する段階と、を含む。
【００２６】
したがって、本願の実施形態で提供されるアクセスおよびモビリティ管理ポリシーアソシエーションの終了方法によれば、ＰＣＦ（例えば、第３のＰＣＦ）とのＡＭポリシーアソシエーションを確立する必要がある各ＡＭＦ（例えば、第３のＡＭＦまたは第４のＡＭＦ）は、ＡＭポリシーアソシエーション接続確立処理において、ＡＭＦの識別子を第３のＰＣＦに送信し、予め設定された期間後に、ＡＭＦの識別子を担持する削除要求情報を送信する。第３のＰＣＦは、ＡＭポリシーアソシエーションの確立時に受信したＡＭＦの最近の識別子（例えば、第４のＡＭＦの識別子）と、受信した削除要求情報に保持されているＡＭＦの識別子（例えば、第３のＡＭＦの識別子）とを比較する。また、２つのＡＭＦが異なる場合には、第３のＰＣＦがＡＭポリシー制御情報を保持し、第３のＡＭＦのみがＡＭポリシー制御情報を削除することから、ＰＣＦ内のＡＭポリシー制御情報が再利用され、システムリソースも節約される。
【００２７】
第７の態様によれば、アクセスおよびモビリティ管理ポリシーアソシエーションの終了方法が提供される。方法は、
第３のポリシー制御機能ＰＣＦによって、第３のアクセスおよびモビリティ管理機能ＡＭＦによって送信される第１のアソシエーション要求情報を受信する段階であって、ここで、第１のアソシエーション要求情報は、端末装置のために第３のＰＣＦとのＡＭポリシーアソシエーションを確立することを要求するために使用され、第１のアソシエーション要求情報は、第３のＡＭＦを識別するために使用される第３のＡＭＦ識別子情報をさらに含む段階と、
第３のＰＣＦによって、第３のＡＭＦによって送信された第３の削除要求情報を受信する段階であって、ここで、第３の削除要求情報は、第３のＰＣＦに、端末装置のための第３のＰＣＦと第３のＡＭＦとの間のＡＭポリシー制御情報を削除するように要求するために使用され、第３の削除要求情報は、第３のＡＭＦの識別子情報をさらに含む段階と、
第３のＰＣＦにより、第３のＡＭＦ識別子情報と第３の削除要求情報とに基づいて、端末装置のためのＡＭポリシー制御情報を削除する段階と、を含む。
【００２８】
したがって、本願の実施形態で提供されるアクセスおよびモビリティ管理ポリシーアソシエーションの終了方法によれば、ＰＣＦとのＡＭポリシーアソシエーションを確立する必要がある各ＡＭＦ（例えば、第３のＡＭＦまたは第４のＡＭＦ）は、ＡＭポリシーアソシエーション接続確立処理において、ＰＣＦ（例えば、第３のＰＣＦ）にＡＭＦの識別子を送信し、予め設定された期間後に、ＡＭＦの識別子を担持する削除要求情報を送信する。第３のＰＣＦは、ＡＭポリシーアソシエーションの確立時に受信したＡＭＦの最近の識別子（例えば、第３のＡＭＦの識別子）と、受信した削除要求情報に保持されているＡＭＦの識別子（例えば、第３のＡＭＦの識別子）とを比較する。２つのＡＭＦが同一場合、第３のＰＣＦはＡＭポリシー制御情報を削除し、ＡＭＦもＡＭポリシー制御情報を削除することから、システムリソースが節約される。
【００２９】
第８の態様によれば、アクセスおよびモビリティ管理ポリシーアソシエーションの終了方法が提供される。方法は、
第３のアクセスおよびモビリティ管理機能ＡＭＦによって、第３のポリシー制御機能ＰＣＦに、端末装置のためのＡＭＦとのＡＭポリシーアソシエーションを確立することを要求するために使用される第１のアソシエーション要求情報を送信する段階であって、ここで、第１のアソシエーション要求情報は、第３のＡＭＦを識別するために使用される第３のＡＭＦ識別子情報をさらに含む段階と、
第３のＡＭＦによって、予め設定された期間後に第３のＰＣＦに第３の削除要求情報を送信する段階であって、ここで、第３の削除要求情報は、第３のＰＣＦに、第３のＰＣＦと第３のＡＭＦとの間の端末装置のためのＡＭポリシー制御情報を削除するように要求するために使用され、第３の削除要求情報は、第３のＡＭＦ識別子情報をさらに含む段階と、
第３のＡＭＦにより、端末装置のためのＡＭポリシー制御情報を削除する段階と、を含む。
【００３０】
したがって、本願の実施形態で提供されるアクセスおよびモビリティ管理ポリシーアソシエーションの終了方法によれば、ＡＭポリシーアソシエーション接続確立処理において、各ＡＭＦ（例えば、第３のＡＭＦ）は、ＡＭＦの識別子をＰＣＦ（例えば、第３のＰＣＦ）に送信し、予め設定された期間後に、ＡＭＦの識別子を担持する削除要求情報を送信する。このように、第３のＰＣＦは、ＡＭポリシーアソシエーションの確立時に受信したＡＭＦの最近の識別子（例えば、第３のＡＭＦまたは他のＡＭＦ）と、受信した削除要求情報に担持されているＡＭＦの識別子（例えば、第３のＡＭＦの識別子）とを比較してもよい。２つのＡＭＦが異なる場合には、第３のＰＣＦがＡＭポリシー制御情報を保持し、第３のＡＭＦのみがＡＭポリシー制御情報を削除する。あるいは、２つのＡＭＦが同一である場合には、第３のＰＣＦがＡＭポリシー制御情報を削除し、第３のＡＭＦもＡＭポリシー制御情報を削除する。このように、システムリソースが節約される。
【００３１】
可能な実施形態では、方法は、
第３のＡＭＦが統一されたデータ管理ＵＤＭから送信された登録解除情報を受信した後、第３のＡＭＦがタイマーを開始する段階であって、ここで、タイマーの期間は予め設定された期間である、段階をさらに含む。
【００３２】
ＵＤＭが第１のＡＭＦに登録解除メッセージを送信する時点は、第２のＡＭＦがＰＣＦを選択する時点に比較的近いため、登録解除メッセージを受信した後に第１のＡＭＦがタイマーを開始すると、時間を節約できる可能性がある。
【００３３】
第９の態様によれば、アクセスおよびモビリティ管理ポリシーアソシエーションの終了装置が提供される。装置は、第１の態様から第８の態様までのいずれかおよびこれらの任意の可能な実施形態の動作を実行するように構成されてよい。例えば、装置は、第１の態様から第８の態様までのいずれかおよびこれらの任意の可能な実施形態の各動作を実行するように構成されたモジュールまたはユニットを含むことができる。
【００３４】
第１０の態様によれば、アクセスおよびモビリティ管理ポリシーアソシエーションの終了装置が提供される。装置は、プロセッサ、トランシーバ、およびメモリを含む。プロセッサ、トランシーバ、およびメモリは、内部接続パスを介して互いに通信する。メモリは、命令を記憶するように構成されている。プロセッサは、メモリに記憶された命令を実行するように構成されている。プロセッサがメモリに記憶された命令を実行するとき、前述の実行により装置が、第１の態様から第８の態様までのいずれかまたはこれらの任意の可能な実施形態の任意の方法を実行することが可能となる。
【００３５】
第１１の態様によれば、チップシステムが提供される。チップシステムは、メモリとプロセッサとを含み、ここで、メモリはコンピュータプログラムを記憶するように構成され、プロセッサは、メモリからコンピュータプログラムを呼び出してコンピュータプログラムを実行するように構成されていることから、チップシステムが搭載されている通信装置は、第１の態様から第８の態様までのいずれかおよびこれらの任意の可能な実施形態の任意の方法を実行する。
【００３６】
第１２の態様によれば、コンピュータプログラムプロダクトが提供される。コンピュータプログラムプロダクトには、コンピュータプログラムコードが含まれる。コンピュータプログラムコードが通信装置（ＡＭＦやＰＣＦなど）の通信ユニット、処理ユニット、トランシーバ、またはプロセッサによって実行される場合、通信装置は、第１の態様から第８の態様までのいずれかおよびこれらの任意の可能な実施形態の方法を実行する。
【００３７】
第１３の態様によれば、コンピュータ可読記憶媒体が提供される。コンピュータ可読記憶媒体にはプログラムが記憶されており、プログラムは、通信装置（ＡＭＦまたはＰＣＦなど）が、第１の態様から第８の態様までのいずれかおよびこれらの任意の可能な実施形態の任意の方法を実行することを可能にする。
【００３８】
第１４の態様によれば、コンピュータプログラムが提供される。コンピュータプログラムがコンピュータ上で実行される場合、コンピュータは、第１の態様から第８の態様までのいずれかおよびこれらの任意の可能な実施形態の任意の方法を実行する。
【図面の簡単な説明】
【００３９】
【図１】本願の実施形態に適用される可能なネットワークアーキテクチャの概略図である。
【００４０】
【図２】本願の実施形態における登録手順の概略フローチャートである。
【００４１】
【図３】本願の実施形態におけるＡＭＦとＰＣＦによるＡＭポリシーアソシエーションの確立の概略フローチャートである。
【００４２】
【図４】本願の実施形態におけるＡＭＦとＰＣＦによるＡＭＦポリシーアソシエーションの削除の概略フローチャートである。
【００４３】
【図５】本願の実施形態におけるアクセスおよびモビリティ管理ポリシーアソシエーションの終了方法の概略的相互作用図である。
【００４４】
【図６】本願の別の実施形態におけるアクセスおよびモビリティ管理ポリシーアソシエーションの終了方法の概略的相互作用図である。
【００４５】
【図７】本願の別の実施形態における登録手順の概略フローチャートである。
【００４６】
【図８】本願の別の実施形態における登録手順の概略フローチャートである。
【００４７】
【図９】本願の別の実施形態における登録手順の概略フローチャートである。
【００４８】
【図１０】本願の別の実施形態におけるアクセスおよびモビリティ管理ポリシーアソシエーションの終了方法の概略的相互作用図である。
【００４９】
【図１１】本願の別の実施形態におけるアクセスおよびモビリティ管理ポリシーアソシエーションの終了方法の概略的相互作用図である。
【００５０】
【図１２】本願の別の実施形態における登録手順の概略フローチャートである。
【００５１】
【図１３】本願のさらに別の実施形態におけるアクセスおよびモビリティ管理ポリシーアソシエーションの終了方法の概略的相互作用図である。
【００５２】
【図１４】本願のさらに別の実施形態における登録手順の概略フローチャートである。
【００５３】
【図１５】本願の実施形態におけるアクセスおよびモビリティ管理ポリシーアソシエーションの終了装置を示す。
【００５４】
【図１６】本願の実施形態におけるアクセスおよびモビリティ管理ポリシーアソシエーションの終了装置を示す。
【００５５】
【図１７】本願の実施形態におけるアクセスおよびモビリティ管理ポリシーアソシエーションの終了装置を示す。
【００５６】
【図１８】本願の実施形態におけるアクセスおよびモビリティ管理ポリシーアソシエーションの終了装置を示す。
【図１９】本願の実施形態におけるアクセスおよびモビリティ管理ポリシーアソシエーションの終了装置を示す。
【００５７】
【図２０】本願の実施形態におけるアクセスおよびモビリティ管理ポリシーアソシエーションの終了装置を示す。
【００５８】
【図２１】本願の実施形態におけるアクセスおよびモビリティ管理ポリシーアソシエーションの終了装置を示す。
【００５９】
【図２２】本願の実施形態におけるアクセスおよびモビリティ管理ポリシーアソシエーションの終了装置を示す。
【発明を実施するための形態】
【００６０】
以下、添付図面を参照して、本願の技術的解決策を説明する。
【００６１】
本願の実施形態の技術的解決策は、移動体通信のためのグローバルシステム（Ｇｌｏｂａｌ Ｓｙｓｔｅｍ ｏｆ Ｍｏｂｉｌｅ ｃｏｍｍｕｎｉｃａｔｉｏｎ、ＧＳＭ（登録商標））システム、コード分割多重アクセス（Ｃｏｄｅ Ｄｉｖｉｓｉｏｎ Ｍｕｌｔｉｐｌｅ Ａｃｃｅｓｓ、ＣＤＭＡ）システム、広帯域コード分割多重アクセス（Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ（登録商標））システム、一般パケット無線サービス（Ｇｅｎｅｒａｌ Ｐａｃｋｅｔ Ｒａｄｉｏ Ｓｅｒｖｉｃｅ、ＧＰＲＳ）システム、長期進化（Ｌｏｎｇ  Ｔｅｒｍ  Ｅｖｏｌｕｔｉｏｎ、ＬＴＥ）システム、ＬＴＥ周波数分割二重化（Fｒｅｑｕｅｎｃｙ Ｄｉｖｉｓｉｏｎ Ｄｕｐｌｅｘ、ＦＤＤ）システム、ＬＴＥ時間分割二重化（Ｔｉｍｅ Ｄｉｖｉｓｉｏｎ Ｄｕｐｌｅｘ、ＴＤＤ）システム、ユニバーサル移動体通信システム（Ｕｎｉｖｅｒｓａｌ Ｍｏｂｉｌｅ Ｔｅｌｅｃｏｍｍｕｎｉｃａｔｉｏｎｓ Ｓｙｓｔｅｍ、ＵＭＴＳ）、マイクロ波アクセスのための世界的相互運用性（Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ）通信システム、将来の第５世代（５ｔｈ Ｇｅｎｅｒａｔｉｏｎ, ５Ｇ）システム、または新しい無線（Ｎｅｗ Ｒａｄｉｏ、ＮＲ）システムなどの様々な通信システムに適用することができる。
【００６２】
本願の実施形態における端末装置は、ユーザ機器、アクセス端末、加入者ユニット、加入者局、移動局、モバイルコンソール、遠隔局、遠隔端末、移動装置、ユーザ端末、端末、無線通信装置、ユーザエージェント、ユーザ装置、などであってもよい。端末装置は、代替的に、携帯電話、コードレス電話、セッション開始プロトコル（Ｓｅｓｓｉｏｎ Ｉｎｉｔｉａｔｉｏｎ Ｐｒｏｔｏｃｏｌ, ＳＩＰ）電話、ワイヤレスローカルループ（Ｗｉｒｅｌｅｓｓ Ｌｏｃａｌ Ｌｏｏｐ, ＷＬＬ）ステーション、パーソナルデジタルアシスタント（Ｐｅｒｓｏｎａｌ Ｄｉｇｉｔａｌ Ａｓｓｉｓｔａｎｔ, ＰＤＡ）、無線通信機能を有するハンドヘルド装置、コンピューティング装置、無線モデムに接続された別の処理装置、車載装置、ウェアラブル装置、将来の５Ｇネットワークにおける端末装置、または将来の進化した公共土地移動ネットワーク（Ｐｕｂｌｉｃ Ｌａｎｄ Ｍｏｂｉｌｅ Ｎｅｔｗｏｒｋ、ＰＬＭＮ）における端末装置であってもよい。これは、本願の実施形態において限定されない。
【００６３】
本願の実施形態におけるネットワーク装置は、端末装置と通信するように構成された装置であってもよい。ネットワーク装置は、移動体通信のグローバルシステム（Ｇｌｏｂａｌ Ｓｙｓｔｅｍ ｏｆ Ｍｏｂｉｌｅ ｃｏｍｍｕｎｉｃａｔｉｏｎ, ＧＳＭ（登録商標））、または、コード分割多重アクセス（Ｃｏｄｅ Ｄｉｖｉｓｉｏｎ Ｍｕｌｔｉｐｌｉｔｉｏｎ Ａｃｃｃｅｓｓｓ（ＣＤＭＡ））におけるベーストランシーバ局（Ｂａｓｅ Ｔｒａｎｓｃｅｉｖｅｒ Ｓｔａｔｉｏｎ, ＢＴＳ）であってもよく、または、ワイドバンドコード分割多重アクセス（Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ（登録商標））システム、または、ＬＴＥシステムにおける進化したＮｏｄｅＢ（進化したＮｏｄｅＢ、ｅＮＢまたはｅＮｏｄｅＢ）であってもよく、クラウド無線アクセスネットワーク（Ｃｌｏｕｄ Ｒａｄｉｏ Ａｃｃｅｓｓ Ｎｅｔｗｏｒｋ、ＣＲＡＮ）シナリオにおける無線コントローラであってもよい。あるいは、ネットワーク装置は、中継ノード、アクセスポイント、車載装置、ウェアラブル装置、または将来の５Ｇネットワークにおけるネットワーク装置、または将来の進化したＰＬＭＮネットワークにおけるネットワーク装置であってもよい。これは、本願の実施形態において限定されない。
【００６４】
図１は、本願の実施形態に適用される可能なネットワークアーキテクチャを示す。図１に示すように、ネットワークアーキテクチャは、サービスインタフェースの観点から説明されたネットワークアーキテクチャであり、ネットワークアーキテクチャ内のネットワーク要素は別々に説明されている。
【００６５】
１．（無線）アクセスネットワーク（Ｒａｄｉｏ Ａｃｃｅｓｓ Ｎｅｔｗｏｒｋ, （Ｒ）ＡＮ）は、特定のエリア内の許可されたユーザにネットワークアクセス機能を提供するために使用され、ユーザレベルやサービス要求などに基づいて品質の異なる伝送トンネルを使用することができる。（Ｒ）ＡＮネットワーク要素は、端末装置とコアネットワークとの間で制御信号とユーザデータを転送するために、無線リソースを管理し、端末装置にアクセスサービスを提供することができる。また、（Ｒ）ＡＮネットワーク要素は、従来のネットワークにおける基地局として理解されてもよい。
【００６６】
２．ユーザプレーン関数（Ｕｓｅｒ Ｐｌａｎｅ Ｆｕｎｃｔｉｏｎ, ＵＰＦ）は、パケットのルーティングや転送、ユーザプレーンデータのサービス品質（Ｑｕａｌｉｔｙ ｏｆ Ｓｅｒｖｉｃｅ, ＱｏＳ）処理などに使用される。
【００６７】
３．データネットワーク（Ｄａｔａ Ｎｅｔｗｏｒｋ、ＤＮ）とは、インターネットネットワークなどのデータを送信するためのネットワークのことである。
【００６８】
４．認証サーバ機能（Ａｕｔｈｅｎｔｉｃａｔｉｏｎ Ｓｅｒｖｅｒ Ｆｕｎｃｔｉｏｎ, ＡＵＳＦ）は、主にユーザ認証などに使用される。
【００６９】
５．アクセスおよびモビリティ管理機能（Ａｃｃｅｓｓ ａｎｄ ｍｏｂｉｌｉｔｙ Ｍａｎａｇｅｍｅｎｔ Ｆｕｎｃｔｉｏｎ, ＡＭＦ）は、主にモビリティ管理、アクセス管理などに使用される機能であり、モビリティ管理エンティティ（Ｍｏｂｉｌｉｔｙ Ｍａｎａｇｅｍｅｎｔ ｅｎｔｉｔｙ, ＭＭＥ）機能において、セッション管理以外の機能、例えば、合法的な傍受機能や、アクセス権限や認証機能などを実装するために使用されてもよい。
【００７０】
６．セッション管理機能（Ｓｅｓｓｉｏｎ Ｍａｎａｇｅｍｅｎｔ Ｆｕｎｃｔｉｏｎ, ＳＭＦ）は、主にセッション管理、端末装置のインターネットプロトコル（Ｉｎｔｅｒｎｅｔ Ｐｒｏｔｏｃｏｌ, ＩＰ）アドレスの割り当てと管理、管理可能なユーザプレーン機能の選択、ポリシー制御とチャージング機能インタフェースの終端点、ダウンリンクデータ通知などに使用される。
【００７１】
７．ネットワーク露出機能（Ｎｅｔｗｏｒｋ Ｅｘｐｏｓｕｒｅ Ｆｕｎｃｔｉｏｎ, ＮＥＦ）は、３ＧＰＰのネットワーク機能が提供するサービス、性能などを外部に安全に開放するために使用される。
【００７２】
８．ネットワークリポジトリ機能（Ｎｅｔｗｏｒｋ Ｒｅｐｏｓｉｔｏｒｙ Ｆｕｎｃｔｉｏｎ, ＮＲＦ）は、ネットワーク機能エンティティの記述情報やネットワーク機能エンティティによるサービス提供の記述情報を記憶するために使用され、サービス検出、ネットワーク要素エンティティ検出のサポートなどのために使用される。
【００７３】
９．ポリシー制御機能（Ｐｏｌｉｃｙ Ｃｏｎｔｒｏｌ Ｆｕｎｃｔｉｏｎ、ＰＣＦ）は、ネットワークの挙動を命令するために使用される統一されたポリシーフレームワークであり、制御プレーン機能ネットワーク要素（ＡＭＦやＳＭＦなどのネットワーク要素）に対してポリシールール情報などを提供する。
【００７４】
１０．統一されたデータマネジメント（Ｕｎｉｆｉｅｄ Ｄａｔａ Ｍａｎａｇｅｍｅｎｔ、ＵＤＭ）は、ユーザ識別子処理、アクセス認証、登録、モビリティ管理などのために使用される。
【００７５】
１１．アプリケーション機能（Ａｐｐｌｉｃａｔｉｏｎ Ｆｕｎｃｔｉｏｎ, ＡＦ）は、アプリケーションに影響を与えるデータルーティングの実行、ネットワーク露出機能ネットワーク要素へのアクセス、ポリシーフレームワークとのインタラクトによるポリシー制御の実行などのために使用される。
【００７６】
１２．端末装置には、無線通信機能を有する様々なハンドヘルド装置、車載装置、ウェアラブル装置、もしくはコンピューティング装置、または無線モデムに接続された別の処理装置、移動局（ｍｏｂｉｌｅ ｓｔａｔｉｏｎ, ＭＳ）、端末（ｔｅｒｍｉｎａｌ）、ユーザ機器（ｕｓｅｒ ｅｑｕｉｐｍｅｎｔ, ＵＥ）、ソフトウェア端末など、および、水道メータ、電気メータ、センサなどの様々な形態の端末が含まれていてもよい。
【００７７】
ネットワークアーキテクチャにおいて、Ｎ２インタフェースは、（Ｒ）ＡＮ１２０とＡＭＦ１６０との間の基準点であり、ノンアクセスストラタム（Ｎｏｎ-ａｃｃｅｓｓｓ ｓｔｒａｔｕｍ、ＮＡＳ）メッセージなどの送信のために使用され、Ｎ３インタフェースは、（Ｒ）ＡＮ１２０とＵＰＦ１３０との間の基準点であり、ユーザプレーンデータなどの送信に使用され、Ｎ４インタフェースは、ＳＭＦ１７０とＵＰＦ１３０との間の基準点であり、Ｎ３に接続されたトンネルの識別子情報、データキャッシュ指示情報、ダウンリンクデータ通知メッセージなどの情報を送信するために使用され、Ｎ６インタフェースは、ＵＰＦ１３０とＤＮ１４０との間の基準点であり、ユーザプレーンデータなどの送信に使用される。
【００７８】
本願の実施形態に適用される前述のネットワークアーキテクチャは、サービスアーキテクチャの観点から記載されたネットワークアーキテクチャの一例に過ぎず、本願の実施形態に適用可能なネットワークアーキテクチャはこれに限定されないことが理解されるべきである。前述のネットワーク要素の機能を実装することができる任意のネットワークアーキテクチャは、本願の実施形態に適用可能である。
【００７９】
例えば、あるネットワークアーキテクチャでは、ＡＭＦ１６０、ＳＭＦ１７０、ＰＣＦ１１１０、およびＵＤＭ１１２０などのネットワーク機能エンティティは、全てネットワーク機能（Ｎｅｔｗｏｒｋ Ｆｕｎｃｅｎｃｏｎ、ＮＦ）と呼ばれる。あるいは、他のネットワークアーキテクチャでは、ＡＭＦ１６０、ＳＭＦ１７０、ＰＣＦ１１１０、およびＵＤＭ１１２０などのネットワーク機能エンティティのセットは、全て制御プレーン機能（Ｃｏｎｔｒｏｌ Ｐｌａｎｅ Ｆｕｎｃｔｉｏｎ, ＣＰＦ）と呼ばれてよい。
【００８０】
説明を容易にするために、前述のネットワークアーキテクチャが一例として使用され、本願の実施形態における端末装置がネットワークにアクセスした後に実行される登録手順が、図２を参照して簡単に説明される。
【００８１】
Ｓ２０１．端末装置は、（Ｒ）ＡＮに登録要求を送信する。
【００８２】
Ｓ２０２．（Ｒ）ＡＮは、端末装置に対して、端末装置にサービスを提供することができる適切なＡＭＦを選択する。
【００８３】
Ｓ２０３．（Ｒ）ＡＮは、第２のＡＭＦに登録要求を送信する。
【００８４】
Ｓ２０４．第２のＡＭＦは、第１のＡＭＦに、第１のＡＭＦに記憶されている端末装置の状況を要求するために使用される情報を送信する。
【００８５】
本明細書で、端末装置の移動または他の理由により、端末装置にサービスを提供するＡＭＦが、元の第１のＡＭＦから、現在、端末装置にサービスを提供する第２のＡＭＦに変化する。第１のＡＭＦは、端末装置の状況を記憶しているため、第２のＡＭＦは、第１のＡＭＦから端末装置の状況を要求してよい。
【００８６】
端末装置の状況は、端末装置に関連するパラメータであって、端末装置を関連付けるため、または端末装置を各ネットワーク機能エンティティに関連付けるために使用されるパラメータとして理解されてよい。例えば、パラメータはインタフェースパラメータのセットであってよい。
【００８７】
Ｓ２０５．第１のＡＭＦは、端末装置の状況を第２のＡＭＦにフィードバックする。
【００８８】
端末装置の状況は、第１のＡＭＦとのＡＭＦポリシーアソシエーションを確立するＰＣＦ（区別および理解を容易にするために第１のＰＣＦで表される）の識別子情報をさらに含んでよい。
【００８９】
Ｓ２０６．第２のＡＭＦが、端末装置または第１のＡＭＦからサブスクリプションパーマネント識別子（Ｓｕｂｓｃｒｉｐｔｉｏｎ Ｐｅｒｍａｎｅｎｔ Ｉｄｅｎｔｉｆｉｅｒ, ＳＵＰＩ）を取得していない場合、第２のＡＭＦは、サブスクリプションコンシールド識別子（Ｓｕｂｓｃｒｉｐｔｉｏｎ Ｃｏｎｃｅａｌｅｄ Ｉｄｅｎｔｉｆｉｅｒ, ＳＵＣＩ）を要求するために使用される要求情報を、端末装置に送信する。
【００９０】
Ｓ２０７．端末装置は、第２のＡＭＦに、ＳＵＣＩを示すために使用される応答情報を送信する。
【００９１】
Ｓ２０８．第２のＡＭＦは、ＡＵＳＦを選択する。
【００９２】
Ｓ２０９．ＡＵＳＦは、端末装置に対して認証を実行する。
【００９３】
Ｓ２１０．第２のＡＭＦは、第２のＡＭＦが端末装置の状況を受信したことを示すために使用される情報を第１のＡＭＦに送信する。
【００９４】
Ｓ２１１．第２のＡＭＦは、端末装置または第１のＡＭＦから永久機器識別子（Ｐｅｒｍａｎｅｎｔ Ｅｑｕｉｐｍｅｎｔ Ｉｄｅｎｔｉｆｉｅｒ, ＰＥＩ）を取得していない場合、第２のＡＭＦは、ＰＥＩを要求するために使用した情報を端末装置に送信する。
【００９５】
Ｓ２１２．第２のＡＭＦは、移動装置（Ｍｏｂｉｌｅ Ｅｑｕｉｐｍｅｎｔ, ＭＥ）の識別子認証を開始する。
【００９６】
Ｓ２１３．第２のＡＭＦはＵＤＭを選択する。
【００９７】
Ｓ２１４．第２のＡＭＦは、選択されたＵＤＭに登録し、サブスクリプション情報を取得する。
【００９８】
Ｓ２１５．ＵＤＭは、第１のＡＭＦに対して、端末装置の状況の削除を命令する。
【００９９】
Ｓ２１６．第２のＡＭＦは、端末装置にサービスを提供することができるＰＣＦ（例えば、第２のＰＣＦ）を選択する。
【０１００】
本明細書で、ＡＭＦは、ＰＣＦを選択するときに、端末装置の地理的位置を考慮する必要がある。
【０１０１】
具体的には、非ローミングシナリオ内、すなわち、端末装置が自宅または自宅公共地移動網（Ｈｏｍｅ Ｐｕｂｌｉｃ Ｌａｎｄ Ｍｏｂｉｌｅ Ｎｅｔｗｏｒｋ、Ｈ−ＰＬＭＮ）ネットワーク内に配置されている場合、ＡＭＦは、Ｈ−ＰＬＭＮ内に配置されている１つのＨ−ＰＣＦのみを選択する必要がある。ローミングシナリオでは、すなわち、端末装置は、訪問済みまたは訪問済みのＰＬＭＮ（Ｖ-ＰＬＭＮ）ネットワーク内に位置しており、ＡＭＦは、２つのＰＣＦを選択する必要がある。１つのＰＣＦは、Ｖ−ＰＬＭＮに位置するＶ−ＰＣＦであり、他方のＰＣＦは、Ｈ−ＰＬＭＮに位置するＨ−ＰＣＦである。
【０１０２】
第２のＡＭＦによって選択される第２のＰＣＦは、第１のＡＭＦとのＡＭポリシーアソシエーションを以前に確立した第１のＰＣＦであってよく、または第１のＰＣＦとは異なるＰＣＦであってよいことに注意すべきである。
【０１０３】
Ｓ２１７．第２のＡＭＦと第２のＰＣＦは、ＡＭポリシーアソシエーションを確立する。
【０１０４】
図３は、ＡＭＦとＰＣＦによるＡＭＦポリシーアソシエーションの確立の概略フローチャートである。
【０１０５】
図３に示すように、Ｓ２１７１．第２のＡＭＦは、第２のＰＣＦとのＡＭポリシーアソシエーションを確立することを決定する。
【０１０６】
Ｓ２１７２．第２のＡＭＦは、第２のＰＣＦに対して、第２のＰＣＦとのＡＭポリシーアソシエーション確立を要求するために使用されるアソシエーション要求情報を送信する。
【０１０７】
Ｓ２１７３．第２のＰＣＦは、第２のＡＭＦにＡＭポリシーを送信する。
【０１０８】
本明細書で、ＡＭポリシーは、アクセスおよびモビリティ関連ポリシー情報（Ａｃｃｅｓｓ ａｎｄ ｍｏｂｉｌｉｔｙ ｒｅｌａｔｅｄ ｐｏｌｉｃｙ ｉｎｆｏｒｍａｔｉｏｎ）と、ＵＥアクセス選択およびパケットデータユニットセッション選択関連ポリシー情報（ＵＥ ａｃｃｅｓｓ ｓｅｌｅｃｔｉｏｎ ａｎｄ Ｐａｃｋｅｔ Ｄａｔａ Ｕｎｉｔ （ＰＤＵ） Ｓｅｓｓｉｏｎ ｓｅｌｅｃｔｉｏｎ ｒｅｌａｔｅｄ ｐｏｌｉｃｙ ｉｎｆｏｒｍａｔｉｏｎ）とを含む。ＵＥアクセス選択およびＰＤＵ選択関連のポリシー情報には、アクセスネットワークディスカバリおよび選択ポリシー（Ａｃｃｅｓｓ Ｎｅｔｗｏｒｋ Ｄｉｓｃｏｖｅｒｙ ＆ Ｓｅｌｅｃｔｉｏｎ Ｐｏｌｉｃｙ, ＡＮＤＳＰ）と、ＵＥルート選択ポリシー（ＵＥ Ｒｏｕｔｅ Ｓｅｌｅｃｔｉｏｎ Ｐｏｌｉｃｙ, ＵＲＳＰ）とが含まれる。
【０１０９】
Ｓ２１７４．第２のＡＭＦがＡＭポリシーを展開するか、または、第２のＡＭＦがＡＭポリシーと端末装置の状況を展開する。第２のＡＭＦは、アクセスおよびモビリティ関連ポリシー情報をＡＭポリシーに記憶し、ＵＥアクセス選択およびＰＤＵセッション選択関連のポリシー情報を端末装置に送信する。
【０１１０】
前述したように、ＡＭＦによって選択されたＰＣＦのタイプが端末装置の地理的位置によって変わる場合、ＡＭＦとＰＣＦとは、ＰＣＦのタイプに基づいて、端末装置に対するＡＭＦとＰＣＦとの間にポリシーアソシエーションを確立してよい。第２のＰＣＦは、第２のＶ−ＰＣＦおよび第２のＨ−ＰＣＦのうち少なくとも１つであってよい。
【０１１１】
端末装置が非ローミングシナリオにある場合、第２のＡＭＦは、Ｈ−ＰＬＭＮ内に位置する１つのＨ−ＰＣＦのみを選択する必要があるため、第２のＡＭＦは、第２のＡＭＦと第２のＨ−ＰＣＦとの間にＡＭポリシーアソシエーションのみを確立する必要がある。
【０１１２】
端末装置がローミングシナリオにある場合、ＡＭＦは、Ｈ−ＰＬＭＮに位置する１つのＨ−ＰＣＦとＶ−ＰＬＭＮに位置する１つのＶ−ＰＣＦを選択する必要があるので、可能な実施形態では、Ｓ２１７２において、第２のＡＭＦは、第２のＶ−ＰＣＦにアソシエーション要求情報を送信し、第２のＶ−ＰＣＦは、第２のＨ−ＰＣＦにアソシエーション要求情報を送信する。Ｓ２１７３において、第２のＨ−ＰＣＦは、端末装置のための第２のＨ−ＰＣＦ内のＡＭポリシーを第２のＶ−ＰＣＦに送信し、第２のＶ−ＰＣＦは、端末装置のための第２のＶ−ＰＣＦ内のＡＭポリシーと、端末装置のための第２のＨ−ＰＣＦ内のＡＭポリシーとに、関連する処理を実行し、端末装置のための処理されたＡＭポリシーをＡＭＦに送信し、ＡＭＦがＡＭポリシーを展開するようにしてよい。
【０１１３】
第２のＡＭＦによって選択された第２のＰＣＦが、以前に第１のＡＭＦに関連付けられていた第１のＰＣＦである場合、すなわち、第１のＰＣＦが再利用されている場合、第２のＡＭＦは、ＡＭポリシーのみを展開することができることに留意されたい。第２のＡＭＦによって選択された第２のＰＣＦが第１のＰＣＦと異なる場合、すなわち、第１のＰＣＦが再利用されない場合、第２のＡＭＦは、ＡＭポリシーと端末装置の状況を展開する必要がある。
【０１１４】
Ｓ２１８．第２のＡＭＦは、プロトコルデータユニット（Ｐｒｏｔｏｃｏｌｏｔｏｒ Ｄａｔａ Ｕｎｉｔ、ＰＤＵ）セッションをアクティブ化するように、セッション管理状況アップデート要求をＳＭＦに送信する。
【０１１５】
Ｓ２１９．Ｓ２０５において、第１のＡＭＦが、第１のＡＭＦに関連付けられた第１のＰＣＦの識別子を第２のＡＭＦに送信していない場合、第１のＡＭＦは、第１のＰＣＦに、ＡＭポリシーアソシエーションの削除を要求するために使用される削除要求情報を送信するので、第１のＰＣＦは、第１のＰＣＦに記憶されている端末装置のためのポリシー情報を削除することができる。
【０１１６】
具体的には、図４は、ＡＭＦとＰＣＦによるＡＭポリシーアソシエーションの削除の概略フローチャートである。
【０１１７】
図４に示すように、Ｓ２１９１．第１のＡＭＦは、ＡＭポリシーアソシエーションの終了または削除を決定する。
【０１１８】
Ｓ２１９２．第１のＡＭＦは、第１のＰＣＦに、端末装置のためのＡＭポリシーアソシエーションの削除を要求するために使用される削除要求情報を送信し、ここで、削除要求情報は、端末装置の識別子を含む。
【０１１９】
Ｓ２１９３．第１のＰＣＦは、端末装置のための第１のＰＣＦに記憶されているＡＭポリシー制御情報を削除し、ＡＭポリシーの削除動作が完了したことを第１のＡＭＦに通知するように、応答情報を第１のＡＭＦに送信する。
【０１２０】
端末装置のための第１のＰＣＦに記憶されているＡＭポリシー制御情報は、少なくとも端末装置の識別子と、ＡＭポリシーと、ＡＭポリシーに対応する識別子と、を含む。
【０１２１】
Ｓ２１９４．第１のＡＭＦは、端末装置の第１のＡＭＦに記憶されているＡＭポリシー制御情報を削除する。
【０１２２】
端末装置の第１のＡＭＦに記憶されているＡＭポリシー制御情報は、少なくとも第１のＰＣＦの識別子とＡＭポリシーとを含む。オプションとして、第１のＡＭＦは、第１のＡＭＦによって検出され、ＡＭポリシーアソシエーションによって要求されたイベント加入をさらに削除してよい。
【０１２３】
第１のＰＣＦは、第１のＶ−ＰＣＦまたは第１のＨ−ＰＣＦのいずれかであってよいことが理解されるべきである。
【０１２４】
ローミングシナリオでは、第１のＨ−ＰＣＦのみが再利用され、第１のＶ−ＰＣＦが再利用されない場合、第１のＡＭＦは、削除要求情報を第１のＶ−ＰＣＦに送信するので、第１のＶ−ＰＣＦは、端末装置のためのＡＭポリシー制御情報を削除し、第１のＨ−ＰＣＦは、端末装置のためのＡＭポリシー制御情報を削除する必要がない。この場合、第１のＰＣＦはＶ−ＰＣＦである。Ｈ−ＰＣＦおよびＶ−ＰＣＦのいずれも再利用されていない場合、第１のＡＭＦは、第１のＶ−ＰＣＦに削除要求情報を送信し、第１のＶ−ＰＣＦを用いて第１のＨ−ＰＣＦに削除要求情報を送信することにより、第１のＨ−ＰＣＦおよび第１のＶ−ＰＣＦのいずれもが端末装置のためのＡＭポリシー制御情報を削除する。この場合、第１のＰＣＦは、第１のＶ−ＰＣＦまたは第１のＨ−ＰＣＦのいずれかである。非ローミングシナリオでは、第１のＰＣＦは第１のＨ−ＰＣＦのみとなる。
【０１２５】
第１のＡＭＦの削除要求情報が、第１のＨ−ＰＣＦに対して端末装置のためのＡＭポリシーアソシエーションの削除を要求している可能性がある場合、第１のＡＭＦによる削除要求情報を第１のＨ−ＰＣＦに送信することは、第１のＶ−ＰＣＦを用いて第１のＡＭＦによる削除要求情報を第１のＨ−ＰＣＦに送信したものと解釈される可能性があることに留意すべきである。
【０１２６】
Ｓ２２０．第２のＡＭＦは、端末装置の登録要求が受け入れられたことを示すために使用される情報を端末装置に送信する。
【０１２７】
Ｓ２２１．端末装置は、登録が完了したことを示すために使用される情報を第２のＡＭＦに送信する。
【０１２８】
前述の登録手順の説明と背景から、第１のＡＭＦが第１のＰＣＦの識別子を第２のＡＭＦに送信したとき、しかし実際には、第２のＡＭＦが選択したＰＣＦは、第１のＡＭＦとのＡＭポリシーアソシエーションを確立する第１のＰＣＦではなく、第１のＰＣＦとは異なる第２のＰＣＦであるとき、この場合、第１のＡＭＦと第１のＰＣＦとの間のＡＭポリシーアソシエーションを削除することができず、システムリソースが無駄になることがわかり得る。
【０１２９】
したがって、本願の実施形態は、アクセスおよびモビリティ管理ポリシーアソシエーションの終了方法を提供する。これは、前述の課題を解決するのに役立つ。
【０１３０】
以下、本願の実施形態を、図５から図１４を参照して詳細に説明する。
【０１３１】
本願の実施形態では、第２のＡＭＦは、現在端末装置にサービスを提供するＡＭＦであり、第２のＰＣＦは、現在端末装置にサービスを提供するＰＣＦであり、第２のＰＣＦと第２のＡＭＦとの間にＡＭポリシーアソシエーションが確立されている。第１のＡＭＦは、第２のＡＭＦが端末装置にサービスを提供する前に端末装置にサービスを提供するＡＭＦであり、第１のＰＣＦは、第２のＰＣＦが端末装置にサービスを提供する前に端末装置にサービスを提供するＰＣＦであり、第１のＰＣＦと第１のＡＭＦとの間にＡＭポリシーアソシエーションが確立されている。
【０１３２】
すなわち、第１のＡＭＦ、第２のＡＭＦ、第１のＰＣＦ、および第２のＰＣＦは、全て端末装置にサービスを提供するネットワーク要素である。端末装置の移動または他の理由により、端末装置にサービスを提供するＡＭＦが第１のＡＭＦから第２のＡＭＦに変化する。これに対応して、端末装置にサービスを提供するＰＣＦは、第１のＰＣＦから第２のＰＣＦに変化する。
【０１３３】
また、第１のＡＭＦは、図２の第１のＡＭＦに対応していてよく、第２のＡＭＦは、図２の第２のＡＭＦに対応しており、第１のＰＣＦは、図２の第１のＰＣＦに対応していてよく、第２のＰＣＦは、図２の第２のＰＣＦに対応している。
【０１３４】
図５は、本願の実施形態におけるアクセスおよびモビリティ管理ポリシーアソシエーションの終了方法３００の概略的相互作用図である。以下、図５および図２を参照して、方法３００の各段階を詳細に説明する。
【０１３５】
Ｓ３１０において、第１のＡＭＦは、第１のＰＣＦの第１のＰＣＦ識別子情報を第２のＡＭＦに送信する。
【０１３６】
具体的には、Ｓ３１０は、図２のＳ２０５に対応するものであってよく、第１のＰＣＦ識別子情報は、端末装置の状況で伝送されてよい。以前に端末装置にサービスを提供している第１のＡＭＦは、現在端末装置にサービスを提供している第２のＡＭＦに第１のＰＣＦの識別子情報を送信することにより、第２のＡＭＦがＰＣＦを選択するときに第１のＰＣＦを選択することができ、第１のＰＣＦを再利用することができる。
【０１３７】
Ｓ３２０において、第１のＡＭＦは、第１のＰＣＦに第１の削除要求情報を送信し、ここで、第１の削除要求情報は、第１のＰＣＦに、第１のＰＣＦと第１のＡＭＦとの間の端末装置のためのＡＭポリシーアソシエーションの削除を要求するために使用され、第１のＰＣＦは、第２のＰＣＦとは異なるものである。
【０１３８】
具体的には、第１のＡＭＦは、第２のＡＭＦが第１のＰＣＦを選択していない（すなわち、第１のＰＣＦが第２のＰＣＦと異なる）と決定した場合、第１のＡＭＦは、第１の削除要求情報を第１のＰＣＦに送信して、第１のＰＣＦと第１のＡＭＦとの間の端末装置のためのＡＭポリシーアソシエーションを削除するように第１のＰＣＦに命令するか、または、第１のＰＣＦと第１のＡＭＦとの間の端末装置のためのＡＭポリシーアソシエーションを終了するように第１のＰＣＦに命令する。
【０１３９】
したがって、Ｓ３３０では、第１のＰＣＦは、端末装置のためのＡＭポリシー制御情報を削除する。Ｓ３４０において、第１のＡＭＦは、端末装置のためのＡＭポリシー制御情報を削除する。
【０１４０】
すなわち、第１のＰＣＦは、第１のＡＭＦから送信された第１の削除要求情報を受信した後、第１のＰＣＦに記憶されている端末装置のためのＡＭポリシー制御情報を削除する。端末装置のための第１のＰＣＦに記憶されているＡＭポリシー制御情報は、少なくとも端末装置の識別子と、ＡＭポリシーと、ＡＭポリシーに対応する識別子と、を含む。
【０１４１】
第１の削除要求情報を送信した後、第１のＡＭＦは、第１のＡＭＦに記憶されているＡＭポリシー制御情報も削除する。第１のＡＭＦのＡＭポリシー制御情報は、少なくとも第１のＰＣＦの識別子とＡＭポリシーとを含む。オプションとして、第１のＡＭＦは、第１のＡＭＦによって検出され、ＡＭポリシーアソシエーションによって要求されたイベント加入をさらに削除してよい。
【０１４２】
可能な実施形態では、第１の削除要求情報は、端末装置の識別子を含む。
【０１４３】
以下、端末装置がローミングシナリオおよび非ローミングシナリオにある場合の第１のＰＣＦについてさらに説明する。
【０１４４】
端末装置が非ローミングシナリオにある場合、第１のＰＣＦは第１のＨ−ＰＣＦである。
【０１４５】
端末装置がローミングシナリオにある場合、第１のＰＣＦは、第１のＨ−ＰＣＦまたは第１のＶ−ＰＣＦのいずれかであってよい。第１のＡＭＦは、第２のＡＭＦが第１のＨ−ＰＣＦと第１のＶ−ＰＣＦの両方を再利用できると考慮するとき、第１のＡＭＦは、第１のＨ−ＰＣＦの識別子と第１のＶ−ＰＣＦの識別子を第２のＡＭＦに送信してよく、第１のＡＭＦは、最後に、再利用されていないＰＣＦ（Ｖ−ＰＣＦまたはＨ−ＰＣＦのうち少なくとも１つ）に対して、第１の削除要求を送信する。
【０１４６】
第１のＶ−ＰＣＦが再利用されない場合、第１のＡＭＦは、第１のＶ−ＰＣＦに第１の削除要求情報を送信する。この場合、第１のＰＣＦは、第１のＶ−ＰＣＦである。しかしながら、第１のＡＭＦは、第１のＨ−ＰＣＦの識別子と第１のＶ−ＰＣＦの識別子とを第２のＡＭＦに送信してよいし、または第１のＡＭＦは、第１のＶ−ＰＣＦの識別子のみを第２のＡＭＦに送信してよい。本願の実施形態は、これに限定されない。
【０１４７】
第１のＶ−ＰＣＦおよび第１のＨ−ＰＣＦのいずれも再利用されない場合、第１のＡＭＦは、第１のＶ−ＰＣＦに第１の削除要求情報を送信し、第１のＶ−ＰＣＦを用いて第１のＨ−ＰＣＦに第１の削除要求情報を送信することにより、第１のＨ−ＰＣＦおよび第１のＶ−ＰＣＦのいずれもが端末装置のためのＡＭポリシー制御情報を削除するようにする。この場合、第１のＰＣＦは、第１のＶ−ＰＣＦまたは第１のＨ−ＰＣＦのいずれかである。第１のＡＭＦは、第１のＨ−ＰＣＦの識別子と第１のＶ−ＰＣＦの識別子とを第２のＡＭＦに送信してよい。最後に、第１のＨ−ＰＣＦと第１のＶ−ＰＣＦのいずれも再利用されないため、第１のＡＭＦは、削除要求情報を第１のＶ−ＰＣＦに送信する。第１のＨ−ＰＣＦの場合、第１のＡＭＦは、第１のＶ−ＰＣＦを用いて、第１のＨ−ＰＣＦに第１の削除要求情報を送信する。
【０１４８】
したがって、本願の実施形態で提供されるアクセスおよびモビリティ管理ポリシーアソシエーションの終了方法によれば、第２のＡＭＦによって選択された第２のＰＣＦが第１のＰＣＦと異なる場合、第１のＡＭＦは、第１のＰＣＦに対して、ＡＭポリシーアソシエーションの削除を第１のＰＣＦに命令するために使用される第１の削除要求情報を送信するので、第１のＰＣＦは、対応するＡＭポリシー制御情報を削除することができ、それによりシステムリソースを効果的に節約することができる。
【０１４９】
Ｓ３２０において、第１のＡＭＦ１は、第１のＰＣＦと第２のＰＣＦとが同一であるか否かを、以下の２つの方式（すなわち、方式１および方式２）で決定してよい。以下では、方式１および方式２を別々に説明する。
【０１５０】
方式１
【０１５１】
第１のＡＭＦが、予め設定された期間内に、第１のＰＣＦから送信された第２の削除要求情報を受信していない場合、第１のＡＭＦは、第１の削除要求情報を第２のＡＭＦに送信し、ここで、第２の削除要求情報は、第１のＰＣＦと第１のＡＭＦとの間で、端末装置のためのＡＭポリシー制御情報を削除するように第１のＡＭＦに要求するために使用される。
【０１５２】
本願の実施形態では、システムリソースを節約するために、削除要求情報（例えば、第１の削除要求情報）を第１のＡＭＦによって第１のＰＣＦに送信することができ、削除要求情報（例えば、第２の削除要求情報）を第１のＰＣＦによって第１のＡＭＦに送信することもできる。相違点は以下の通りである。第１のＡＭＦは、第１のＰＣＦが第２のＰＣＦと異なる場合には、第１のＰＣＦが端末装置の第１のＰＣＦのＡＭポリシー制御情報を削除するように、第１のＰＣＦに第１の削除要求情報を送信し、第１のＰＣＦは、第１のＰＣＦが第２のＰＣＦと同一の場合には、第１のＡＭＦのみが第１のＡＭＦの端末装置のためのＡＭポリシー制御情報を削除するように、第１のＡＭＦに第２の削除要求情報を送信する。しかしながら、第１のＰＣＦは再利用されるため、第１のＰＣＦは、第１のＰＣＦに端末装置のためのＡＭポリシー制御情報を保持している。
【０１５３】
したがって、第１のＡＭＦが、予め設定された期間内に、第１のＰＣＦから送信された削除要求情報を受信していない場合には、第１のＰＣＦと第２のＰＣＦとが異なることを示しており、第１のＡＭＦは、第１のＰＣＦに第１の削除要求情報を送信してよい。
【０１５４】
また、第１のＰＣＦが第２のＰＣＦと同一かどうかを決定する必要があり、第２のＡＭＦがＰＣＦを選択する処理を完了する必要があるため、予め設定された期間は、第２のＡＭＦがＰＣＦを選択する期間より大きいまたはこれと等しい。
【０１５５】
具体的な実施形態の処理において、第１のＡＭＦは、予め設定された期間を設定するために、任意の可能な時点でタイマーを開始してよい。例えば、以下では、第１のＡＭＦがタイマーを開始する時点を、方式１Ａ、方式１Ｂを用いて説明する。
【０１５６】
方式１Ａ
【０１５７】
第１のＡＭＦが統一されたデータ管理ＵＤＭから送信された登録解除情報を受信した後、第１のＡＭＦはタイマーを開始する。ここで、タイマーの期間は予め設定された期間である。
【０１５８】
図２を参照すると、ＵＤＭによって送信された登録解除メッセージを第１のＡＭＦが受信する段階は、図２のＳ２１５に対応していてよい。
【０１５９】
ＵＤＭが第１のＡＭＦに登録解除メッセージを送信する時点は、第２のＡＭＦがＰＣＦを選択する時点に比較的近いため、登録解除メッセージを受信した後に第１のＡＭＦがタイマーを開始すると、時間を節約できる可能性がある。
【０１６０】
方式１Ｂ
【０１６１】
第１のＡＭＦが第２のＡＭＦに第１のＰＣＦ識別子情報を送信した後、第１のＡＭＦはタイマーを開始し、タイマーの期間は予め設定された期間となる。
【０１６２】
さらに図２を参照すると、第１のＡＭＦによって、第１のＰＣＦ識別子情報を第２のＡＭＦに送信する段階は、図２のＳ２０５に対応していてよい。
【０１６３】
例として、限定ではなく、第１のＡＭＦは、第１のＡＭＦがもはや端末装置にサービスを提供していないと第１のＡＭＦが決定した後に、予め設定された期間を設定するためにタイマーを開始してよく、異なる時点で開始されたタイマーは、異なる予め設定された期間に対応している。例えば、第２のＡＭＦから送信され、端末装置の状況を要求するために使用されるメッセージを受信した後、第１のＡＭＦは、タイマーを開始してよい。開始したタイマーに対応する予め設定された期間は、方式１Ａおよび方式１Ｂのタイマーに対応する予め設定された期間より大きい。
【０１６４】
方式２
【０１６５】
第１のＡＭＦが第１のＰＣＦに第１の削除要求情報を送信する前に、第１のＡＭＦは、第２のＡＭＦから送信された情報を受信して、第１のＰＣＦが第２のＰＣＦと同一であるかを決定してよい。
【０１６６】
例えば、以下では、第１のＡＭＦが受信した情報について、方式２Ａおよび方式２Ｂを用いて説明する。
【０１６７】
方式２Ａ
【０１６８】
第１のＡＭＦは、第２のＡＭＦから送信された第２のＰＣＦの第２のＰＣＦ識別子情報を受信する。
【０１６９】
図６に示すように、Ｓ３１０の後、Ｓ３１１において、第１のＡＭＦは、第２のＡＭＦから送信された第２のＰＣＦ識別子情報を受信する。具体的には、以下の場合が発生したときにのみ、第１の削除要求情報を第１のＰＣＦに送信してよい。第２のＡＭＦがＰＣＦを選択する処理を完了し、選択したＰＣＦ（例えば、第２のＰＣＦ）の識別子が第１のＡＭＦに送信されてよく、これにより、第１のＡＭＦは、受信した第２のＰＣＦの識別子と、第１のＡＭＦにより決定された第１のＰＣＦの識別子とを比較し、第１のＰＣＦの識別子と第２のＰＣＦの識別子とが異なる場合には、第１のＰＣＦが再利用されていないことを示す。
【０１７０】
方式２Ｂ
【０１７１】
第１のＡＭＦは、第２のＡＭＦから送信された第１の指示情報を受信し、ここで、第１の指示情報は、第１のＰＣＦが第２のＰＣＦと異なることを識別するために使用される。
【０１７２】
さらに図６に示すように、Ｓ３１０の後、Ｓ３１１において、第１のＡＭＦは、第２のＡＭＦから送信された第１の指示情報を受信する。
【０１７３】
同様に、第１の削除要求情報は、以下の場合が発生したときにのみ、第１のＰＣＦに送信されてよい。第２のＡＭＦとの間でＡＭポリシーアソシエーションを確立するＰＣＦは、第２のＡＭＦがＰＣＦを選択する処理を完了した場合にのみ決定することができる。第２のＡＭＦは、第２のＰＣＦの識別子と、第１のＡＭＦから送信された端末装置の状況で伝送されている第１のＰＣＦの識別子とを比較し、比較結果（例えば、第１の指示情報）を第１のＡＭＦに送信する。あるいは、第１のＡＭＦは、第１のＰＣＦが第２のＰＣＦと異なる場合にのみ第１の指示情報を送信するので、第１の指示情報を受信した後、第１のＡＭＦは、第１のＰＣＦが第２のＰＣＦと同一であるか否かを決定することができる。第１のＰＣＦと第２のＰＣＦとが異なる場合は、第１のＰＣＦが再利用されていないことを示す。
【０１７４】
前述では、本願の実施形態を、図５および図６を参照して詳細に説明した。以下、本願の実施形態を、登録処理の具体的な手順を用いて、図７から図９を参照して詳細に説明する。
【０１７５】
図７は、本願の実施形態における登録処理の別の概略フローチャートである。以下、各段階について説明する。
【０１７６】
Ｓ４０１からＳ４０４は、それぞれ図２のＳ２０１からＳ２０４に対応するものであってよい。繰り返しを避けるために、図２のＳ２０１からＳ２０４の説明を参照されたい。
【０１７７】
Ｓ４０５．第１のＡＭＦは、端末装置の状況を第２のＡＭＦに送信し、ここで、端末装置の状況は、第１のＰＣＦ識別子情報を含む。
【０１７８】
Ｓ４０５１．第１のＡＭＦはタイマーを開始する。
【０１７９】
Ｓ４０６からＳ４１４は、それぞれ、図２のＳ２０６からＳ２１４に対応するものであってよい。繰り返しを避けるために、図２のＳ２０６からＳ２１４の説明を参照されたい。
【０１８０】
Ｓ４１５．ＵＤＭは、第１のＡＭＦに登録解除情報を送信する。
【０１８１】
Ｓ４１５１．第１のＡＭＦはタイマーを開始する。
【０１８２】
なお、Ｓ４０５１とＳ４１５１は、２つのいずれかの段階、すなわち、第１のＡＭＦがＳ４０５１を実行するか、Ｓ４１５１を実行するかのいずれかの段階であることに留意すべきである。
【０１８３】
Ｓ４１６からＳ４１８は、それぞれ、図２のＳ２１６からＳ２１８に対応するものであってよい。繰り返しを避けるために、図２のＳ２１６からＳ２１８の説明を参照されたい。
【０１８４】
なお、Ｓ４１９１からＳ４１９３は、それぞれ、図５のＳ３２０からＳ３４０に対応するものであってよい。繰り返しを避けるために、図５のＳ３２０からＳ３４０の説明を参照されたい。
【０１８５】
Ｓ４２０およびＳ４２１は、それぞれ、図２のＳ２２０およびＳ２２１に対応するものであってよい。繰り返しを避けるために、図２のＳ２２０およびＳ２２１の説明を参照されたい。
【０１８６】
図８は、本願の実施形態における登録処理の別の概略フローチャートである。以下、各段階について説明する。
【０１８７】
Ｓ５０１からＳ５１７は、それぞれ図２のＳ２０１からＳ２１７に対応するものであってよい。繰り返しを避けるために、図２のＳ２０１からＳ２１７の説明を参照されたい。
【０１８８】
Ｓ５１７１．第２のＰＣＦを選択した後、第２のＡＭＦは、第２のＰＣＦの識別子情報または第１の指示情報を第１のＡＭＰに送信する。
【０１８９】
Ｓ５１８は、図２のＳ２１８に対応するものであってよい。繰り返しを避けるために、図２のＳ２１８の説明を参照されたい。
【０１９０】
なお、Ｓ５１９１からＳ５１９３は、それぞれ、図５のＳ３２０からＳ３４０に対応するものであってよい。繰り返しを避けるために、図５のＳ３２０からＳ３４０の説明を参照されたい。
【０１９１】
Ｓ５２０およびＳ５２１は、それぞれ、図２のＳ２２０およびＳ２２１に対応するものであってよい。繰り返しを避けるために、図２のＳ２２０およびＳ２２１の説明を参照されたい。
【０１９２】
図９は、本願の実施形態における登録処理のさらに別の概略フローチャートである。以下、各段階について説明する。
【０１９３】
Ｓ６０１からＳ６１２は、それぞれ、図２のＳ２０１からＳ２１２に対応するものであってよい。繰り返しを避けるために、図２のＳ２０１からＳ２１２の説明を参照されたい。
【０１９４】
Ｓ６１３は図２のＳ２１６に対応してよく、Ｓ６１４は図２のＳ２１７に対応してよく、Ｓ６１５は図２のＳ２１３に対応してよい。繰り返しを避けるために、図２のＳ２１６、Ｓ２１７、およびＳ２１３の説明を参照されたい。
【０１９５】
Ｓ６１６１．第２のＡＭＦは、登録情報をＵＤＭに送信し、ここで、登録情報は、第２のＰＣＦ識別子情報または第１の指示情報を含む。
【０１９６】
Ｓ６１６２．第２のＡＭＦは、ＵＤＭに、ＡＭ加入データ、ＳＭＦ選択加入データ、および端末装置の状況の回復を要求するために使用される要求情報を送信し、ここで、要求情報は、第２のＰＣＦ識別子情報または第１の指示情報を含む。
【０１９７】
Ｓ６１７．ＵＤＭは、第１のＡＭＦに、端末装置の状況の削除を第１のＡＭＦに命令するために使用される情報を送信し、ここで、その情報は、第２のＰＣＦ識別子情報またはＵＤＭがＳ６１６１またはＳ６１６２から取得した第１の指示情報を含む。
【０１９８】
Ｓ６１８は、図２のＳ２１８に対応するものであってよい。繰り返しを避けるために、図２のＳ２１８の説明を参照されたい。
【０１９９】
Ｓ６１９１からＳ６１９３は、それぞれ、図５のＳ３２０からＳ３４０に対応するものであってよい。繰り返しを避けるために、図５のＳ３２０からＳ３４０の説明を参照されたい。
【０２００】
Ｓ６２０およびＳ６２１は、それぞれ、図２のＳ２２０およびＳ２２１に対応するものであってよい。繰り返しを避けるために、図２のＳ２２０およびＳ２２１の説明を参照されたい。
【０２０１】
前述では、図５から図９を参照して、本願の実施形態におけるアクセスおよびモビリティ管理ポリシーアソシエーションの終了方法を説明した。以下では、図１０を参照して、本願の別の実施形態におけるアクセスおよびモビリティ管理ポリシーアソシエーションの終了方法を説明する。
【０２０２】
同様に、第１のＡＭＦ、第２のＡＭＦ、第１のＰＣＦ、および第２のＰＣＦについての以下の説明は、方法２００における第１のＡＭＦ、第２のＡＭＦ、第１のＰＣＦ、および第２のＰＣＦについてのこれらの説明と同一である。簡潔にするために、詳細は本明細書に再度記載はしない。
【０２０３】
図１０は、本願の別の実施形態におけるアクセスおよびモビリティ管理ポリシーアソシエーションの終了方法７００の概略的相互作用図である。以下、方法７００の各段階について詳細に説明する。
【０２０４】
Ｓ７０１において、第１のＡＭＦは、第１のＰＣＦを識別するために使用される第１のＰＣＦ識別子情報を第２のＡＭＦに送信する。
【０２０５】
本明細書で、Ｓ７１０は、図２のＳ２０５に対応するものであってよい。具体的な説明については、Ｓ２０５の説明を参照されたい。
【０２０６】
Ｓ７１０において、第２のＡＭＦは、第２のＰＣＦにアソシエーション要求情報を送信し、ここで、アソシエーション要求情報は、端末装置に対する第２のＰＣＦとのＡＭポリシーアソシエーションの確立を要求するために使用され、アソシエーション要求情報は、第２のＰＣＦが第１のＰＣＦと同一であるか否かを決定するために使用される第２の指示情報をさらに含む。
【０２０７】
すなわち、選択された第２のＰＣＦとのＡＭポリシーアソシエーションを確立する処理において、第２のＡＭＦは、アソシエーション要求情報を用いて、第１のＡＭＦから受信した第２の指示情報を第２のＰＣＦに送信してよい。
【０２０８】
第２の指示情報は、第１のＰＣＦと第２のＰＣＦとが同一であるか否かを直接指示するために使用されてよい。例えば、「１」は「同一」を示し、「０」は「異なる」ことを示す。この場合、第２のＡＭＦは、Ｓ７０１で取得した第１のＰＣＦの識別子と、第２のＡＭＦが選択した第２のＰＣＦの識別子とを比較して、第１のＰＣＦが第２のＰＣＦと同一であるか否かを決定し、生成した第２の指示情報を第２のＰＣＦに送信することにより、第２のＰＣＦが第２のＰＣＦを再利用するか否かを決定するようにしてよい。
【０２０９】
あるいは、第２の指示情報は、第１のＰＣＦの第１のＰＣＦの識別子情報を含んでよく、この場合、第２のＡＭＦは、第２のＰＣＦが第１のＰＣＦの識別子と第２のＰＣＦの識別子とを比較して、第１のＰＣＦが第２のＰＣＦと同一であるか否かを決定するように、Ｓ７０１で受信した第１のＰＣＦの識別子情報を第２の指示情報として第２のＰＣＦに送信するようにしてよい。
【０２１０】
Ｓ７２０において、第２のＰＣＦは、第２の指示情報に従って第１のＡＭＦに第２の削除要求情報を送信し、ここで、第２の削除要求情報は、第１のＡＭＦに対して、第１のＰＣＦと第１のＡＭＦとの間で、端末装置のためのＡＭポリシー制御情報の削除を要求するために使用される。
【０２１１】
具体的には、第２のＰＣＦは、第２の指示情報に応じて、第１のＰＣＦが第２のＰＣＦと同一であるか否かを決定し、削除要求情報を第１のＡＭＦに送信するか否かを決定する。
【０２１２】
以下では、第２の削除要求情報を送信する場合と、第２の削除要求情報の送信をスキップする場合とを別々に説明する。
【０２１３】
Ｓ７２０において、第１のＰＣＦと第２のＰＣＦが同一である場合、第２のＰＣＦは、第２の削除要求情報を第１のＡＭＦに送信する。
【０２１４】
また、Ｓ７３０では、第２のＰＣＦは、端末装置のためのＡＭポリシー制御情報を保持する。
【０２１５】
Ｓ７４０において、第１のＡＭＦは、端末装置のためのＡＭポリシー制御情報を削除する。
【０２１６】
具体的には、第２のＰＣＦが、第２の指示情報に応じて、第１のＰＣＦが第２のＰＣＦと同一であると決定した場合には、第１のＰＣＦが再利用されていることを示し、第２のＰＣＦが第１のＰＣＦであることを示す。この場合、第１のＰＣＦ（または第２のＰＣＦ）は、第２の削除要求情報を第１のＡＭＦに送信する。しかしながら、第１のＰＣＦは、端末装置のためのＡＭポリシー制御情報を再利用するために、第１のＰＣＦに記憶されている端末装置のためのＡＭポリシー制御情報を保持する。第２の削除要求情報を受信した後、第１のＡＭＦは、第１のＡＭＦと第１のＰＣＦとの間にＡＭポリシーアソシエーションがなくなったと決定する。したがって、第１のＡＭＦに記憶されているＡＭポリシー制御情報は削除される。
【０２１７】
以下では、端末装置がローミングシナリオにある場合の第１のＰＣＦの関連する段階をさらに説明する。
【０２１８】
ローミングシナリオでは、第１のＰＣＦは、第１のＶ−ＰＣＦまたは第１のＨ−ＰＣＦのいずれであってよい。
【０２１９】
第１のＨ−ＰＣＦのみを再利用し、第１のＶ−ＰＣＦを再利用しない場合、第１のＨ−ＰＣＦは、第１のＶ−ＰＣＦを用いて削除要求情報を送信し、第１のＨ−ＰＣＦは、端末装置のためのＡＭポリシー制御情報を保持し、第１のＰＣＦは、第１のＨ−ＰＣＦである。
【０２２０】
第１のＨ−ＰＣＦと第１のＶ−ＰＣＦの両方を再利用する場合には、第１のＶ−ＰＣＦのみが削除要求情報を送信する必要があり、第１のＰＣＦは第１のＶ−ＰＣＦとなる。
【０２２１】
第１のＶ−ＰＣＦのみが再利用され、第１のＨ−ＰＣＦが再利用されない場合、第１のＶ−ＰＣＦは、第２の削除要求情報を第１のＡＭＦに送信するだけでなく、第１のＨ−ＰＣＦにも削除要求情報を送信する必要があるので、第１のＨ−ＰＣＦは、第１のＨ−ＰＣＦに記憶されている端末装置のためのＡＭポリシー制御情報を削除する。
【０２２２】
別の例では、第１のＰＣＦと第２のＰＣＦとが異なる場合、第２のＰＣＦは、第１のＡＭＦに第２の削除要求情報を送信しない。
【０２２３】
すなわち、第２のＰＣＦは再利用されたＰＣＦではなく、第１のＡＭＦに第２の削除要求情報を送信する必要はない。
【０２２４】
したがって、本願の実施形態で提供されるアクセスおよびモビリティ管理ポリシーアソシエーションの終了方法によれば、第２のＡＭＦとＡＭポリシーアソシエーションを確立した第２のＰＣＦは、第２のＡＭＦから送信され、第１のＡＭＦとＡＭポリシーアソシエーションを確立した第１のＰＣＦが第２のＰＣＦと同一であるか否かを決定するために使用される第２の指示情報を受信する。ここで、第１のＡＭＦは、第２のＡＭＦが端末装置にサービスを提供する前の端末装置にサービスを提供するＡＭＦであり、第２のＰＣＦは、第２の指示情報に応じて削除要求情報を送信することから、第２のＡＭＦは、端末装置のためのＡＭポリシー制御情報を削除することができ、システムリソースも節約される。
【０２２５】
本願の実施形態は、アクセスおよびモビリティ管理ポリシーアソシエーションの終了方法をさらに提供する。以下では、図１１から図１４を参照して、本願のさらに別の実施形態で提供される方法を説明する。
【０２２６】
まず、理解を容易にするために、まず、方法８００および方法１０００の解決策および考え方を簡単に説明する。
【０２２７】
ＰＣＦとＡＭポリシーアソシエーションを確立するＡＭＦは、接続確立処理において、ＡＭＦの識別子をＰＣＦに送信してよく、ＰＣＦはＡＭＦの識別子を記憶する。新しいＡＭＦが次にＰＣＦとＡＭＦポリシーアソシエーションを確立する必要がある場合、ＰＣＦは、以前に受信したＡＭＦの識別子を置換する。また、予め設定された期間の後、ＡＭＦは、ＡＭＦの識別子を含む削除要求情報をＰＣＦに送信してよい。このようにして、ＰＣＦは、以前とその後に受信したＡＭＦの識別子とが同一であるか否かを決定することにより、ＰＣＦが再利用されているか否かをさらに決定してよい。ＰＣＦが以前とその後に受信したＡＭＦの識別子が同一であれば、ＰＣＦが再利用されていることを示し、ＰＣＦは端末装置のためのＰＣＦに記憶されているＡＭポリシー制御情報を保持し、または、ＰＣＦが以前とその後に受信したＡＭＦの識別子とが異なる場合には、ＰＣＦが再利用されていないことを示し、ＰＣＦは端末装置のためのＰＣＦに記憶されているＡＭポリシー制御情報を削除する。
【０２２８】
方法８００では、ＰＣＦを再利用する場合の技術的解決策が記載され、方法１０００では、ＰＣＦを再利用しない場合の技術的解決策が記載されている。
【０２２９】
以下、別々に、方法８００と方法１０００について説明する。
【０２３０】
方法８００では、第４のＡＭＦは、現在端末装置にサービスを提供するＡＭＦであり、第３のＰＣＦは、現在端末装置にサービスを提供するＰＣＦであり、第３のＰＣＦと第４のＡＭＦとの間にＡＭポリシーアソシエーションが確立される。第３のＡＭＦは、第４のＡＭＦが端末装置にサービスを提供する前に端末装置にサービスを提供するＡＭＦである。また、第３のＡＭＦが端末装置にサービスを提供する処理においても、第３のＰＣＦと第３のＡＭＦとの間にＡＭポリシーアソシエーションが確立される。
【０２３１】
図１１は、本願の別の実施形態におけるアクセスおよびモビリティ管理ポリシーアソシエーションの終了方法８００の概略的相互作用図である。
【０２３２】
Ｓ８１０．第３のＡＭＦは、第３のＰＣＦに、端末装置のために第３のＰＣＦとのＡＭポリシーアソシエーションを確立することを要求するために使用される第１のアソシエーション要求情報を送信し、ここで、第１のアソシエーション要求情報は、第３のＡＭＦを示すために使用される第３の削除要求情報をさらに含む。
【０２３３】
具体的には、第３のＡＭＦと第３のＰＣＦがＡＭポリシーアソシエーションを確立する処理では、第１のアソシエーション要求情報に第３のＡＭＦの識別子が加えられる。
【０２３４】
Ｓ８２０．第４のＡＭＦは、第３のＰＣＦに、端末装置のために第３のＰＣＦとのＡＭポリシーアソシエーションを確立することを要求するために使用される第２のアソシエーション要求情報を送信し、ここで、第２のアソシエーション要求情報は、第４のＡＭＦを示すために使用される第４のＡＭＦ識別子情報をさらに含む。
【０２３５】
端末装置の移動または他の理由により、以前に端末装置にサービスを提供していたＡＭＦが第３のＡＭＦから第４のＡＭＦに変更された場合、第４のＡＭＦは第３のＰＣＦとのＡＭポリシーアソシエーションを確立する必要がある。同様に、第３のＰＣＦに第２のアソシエーション要求情報を送信するとき、第３のＡＭＦは、第２のアソシエーション要求情報に第４のＡＭＦの識別子を追加する。
【０２３６】
第３のＰＣＦが、ＡＭＦとのポリシーアソシエーションを確立する処理で、ＡＭＦの識別子を以前とその後に受信した場合、その後に受信したＡＭＦの識別子が、以前に受信したＡＭＦの識別子に置換して用いられることに注意すべきである。例えば、第３のＰＣＦは、第３のＰＣＦに記憶されている第３のＡＭＦの識別子を第４のＡＭＦの識別子に置換する。このように、第３のＰＣＦが、最近受信したＡＭＦの識別子と、Ｓ８３０で受信したＡＭＦの識別子とを比較できることを保証し得る。
【０２３７】
Ｓ８３０．予め設定された期間の後、第３のＡＭＦは、第３のＰＣＦに第３の削除要求情報を送信し、ここで、第３の削除要求情報は、第３のＰＣＦに、第３のＰＣＦと第３のＡＭＦとの間の端末装置のためのＡＭポリシーアソシエーションを削除するように要求するために使用され、第３の削除要求情報は、第３のＡＭＦの識別子情報をさらに含む。
【０２３８】
具体的には、第３のＡＭＦは、予め設定された期間の後に、第３のＰＣＦに第３の削除要求情報を送信し、ここで、予め設定された期間が、第４のＡＭＦがＰＣＦを選択する期間より大きいまたはこれと等しく、第３のＰＣＦは、第３のＰＣＦとのＡＭポリシーアソシエーションを確立するＡＭＦの最新の識別子（すなわち、第４のＡＭＦの識別子）を取得した後に、記憶されている第４のＡＭＦの最新の識別子と、第３の削除要求情報に含まれる第３のＡＭＦの識別子とを効果的に比較することができる。
【０２３９】
可能な実施形態では、第３のＡＭＦが統一されたデータ管理ＵＤＭから送信された登録解除情報を受信した後、第３のＡＭＦはタイマーを開始し、ここで、タイマーの期間は予め設定された期間である。
【０２４０】
図２を参照すると、ＵＤＭによって送信された登録解除メッセージを第３のＡＭＦが受信する段階は、図２のＳ２１５に対応していてよい。
【０２４１】
ＵＤＭが第３のＡＭＦに登録解除メッセージを送信する時点は、第４のＡＭＦがＰＣＦを選択する時点に比較的近いため、登録解除メッセージを受信した後に第３のＡＭＦがタイマーを開始すると、時間を節約できる可能性がある。
【０２４２】
例として、限定されないが、第３のＡＭＦが第３のＰＣＦ識別子情報を第４のＡＭＦに送信した後、第３のＡＭＦはタイマーを開始してもよく、タイマーの期間は予め設定された期間である。
【０２４３】
さらに図２を参照すると、第３のＡＭＦによって、第３のＰＣＦ識別子情報を第４のＡＭＦに送信する段階は、図２のＳ２０５に対応していてよい。
【０２４４】
Ｓ８４０．第３のＰＣＦは、第４のＡＭＦ識別子情報と第３の削除要求情報とに基づいて、端末装置のためのＡＭポリシー制御情報を削除しない。
【０２４５】
具体的には、第３のＰＣＦは、第４のＡＭＦと第３のＡＭＦとを比較する。２つのＡＭＦが異なると決定された場合、第３のＰＣＦは、以前に端末装置にサービスを提供する第３のＡＭＦとの間でＡＭポリシーアソシエーションを確立しており、現在もまた端末装置にサービスを提供する第４のＡＭＦとの間でＡＭポリシーアソシエーションを確立していることを示している。つまり、第３のＰＣＦが再利用されている。したがって、第３のＰＣＦは、第３のＰＣＦ内の端末装置のためのＡＭポリシー制御情報を削除せず、ＡＭポリシー制御情報を保持する。
【０２４６】
Ｓ８５０．第３のＡＭＦは、端末装置のためのＡＭポリシー制御情報を削除する。
【０２４７】
したがって、本願の実施形態で提供されるアクセスおよびモビリティ管理ポリシーアソシエーションの終了方法によれば、ＰＣＦ（例えば、第３のＰＣＦ）とのＡＭポリシーアソシエーションを確立する必要がある各ＡＭＦ（例えば、第３のＡＭＦまたは第４のＡＭＦ）は、ＡＭポリシーアソシエーション接続確立処理において、ＡＭＦの識別子を第３のＰＣＦに送信し、予め設定された期間後に、ＡＭＦの識別子を担持する削除要求情報を送信する。第３のＰＣＦは、ＡＭポリシーアソシエーションの確立時に受信したＡＭＦの最近の識別子（例えば、第４のＡＭＦの識別子）と、受信した削除要求情報に担持されているＡＭＦの識別子（例えば、第３のＡＭＦの識別子）とを比較する。２つのＡＭＦが異なる場合には、第３のＰＣＦがＡＭポリシー制御情報を保持し、第３のＡＭＦのみがＡＭポリシー制御情報を削除するので、ＰＣＦ内のＡＭポリシー制御情報が再利用され、システムリソースも節約される。
【０２４８】
以下、登録処理の具体的な手順を用いて、ＰＣＦを再利用する場合の実施形態を、図１２を参照して詳細に説明する。
【０２４９】
Ｓ９０１１．第３のＡＭＦは、第３のＰＣＦとのＡＭポリシーアソシエーションを確立するとき、第１のアソシエーション要求情報を第３のＰＣＦに送信し、ここで、第１のアソシエーション要求情報は、第３のＡＭＦの第３のＡＭＦ識別子情報を担持する。
【０２５０】
Ｓ９０１からＳ９１４は、それぞれ、図２のＳ２０１からＳ２１４に対応するものであってよい。繰り返しを避けるために、図２のＳ２０１からＳ２１４の説明を参照されたい。
【０２５１】
Ｓ９１５．ＵＤＭは、第３のＡＭＦに登録解除情報を送信する。
【０２５２】
Ｓ９１５１．第３のＡＭＦはタイマーを開始する。
【０２５３】
Ｓ９１６．第４のＡＭＦはＰＣＦを選択する。Ｓ９１６は、図２のＳ２１６に対応していてよい。繰り返しを避けるために、図２のＳ２１６の説明を参照されたい。
【０２５４】
Ｓ９１７．第４のＡＭＦは、第３のＰＣＦとのＡＭポリシーアソシエーションを確立する。Ｓ９１７は、図３のＳ２１７１からＳ２１７４にそれぞれ対応する可能性のあるＳ９１７１からＳ９１７４を含む。Ｓ９１７１において、第４のＡＭＦは、第２のアソシエーション要求情報を第３のＰＣＦに送信し、ここで、第２のアソシエーション要求情報は、第４のＡＭＦを識別するために使用される第４のＡＭＦ識別子情報を担持する。
【０２５５】
Ｓ９１８は、図２のＳ２１８に対応していてよい。
【０２５６】
Ｓ９１９１．第３のＡＭＦは、第３のＰＣＦに第３の削除要求情報を送信する。Ｓ９１９１は、図１１のＳ８３０に対応していてよい。繰り返しを避けるために、図１１のＳ８３０の説明を参照されたい。
【０２５７】
Ｓ９１９２．第３のＰＣＦは、端末装置のための第３のＰＣＦに記憶されたＡＭポリシー制御情報を保持する。Ｓ９１９２は、図１１のＳ８４０に対応していてよい。繰り返しを避けるために、図１１のＳ８４０の説明を参照されたい。
【０２５８】
Ｓ９１９３．第３のＡＭＦは、端末装置のための第３のＡＭＦに記憶されているＡＭポリシー制御情報を削除する。Ｓ９１９３は、図１１のＳ８５０に対応していてよい。繰り返しを避けるために、図１１のＳ８５０の説明を参照されたい。
【０２５９】
Ｓ９２０およびＳ９２１は、それぞれ、図２のＳ２２０およびＳ２２１に対応するものであってよい。繰り返しを避けるために、図２のＳ２２０およびＳ２２１の説明を参照されたい。
【０２６０】
前述は、図１１および図１２を参照して、ＰＣＦを再利用する場合の技術的解決策を詳細に説明した。以下、図１３および図１４を参照して、ＰＣＦを再利用しない場合の技術的解決策について詳細に説明する。
【０２６１】
図１３は、本願のさらに別の実施形態におけるアクセスおよびモビリティ管理ポリシーアソシエーションの終了方法１０００の概略的相互作用図である。
【０２６２】
方法１０００において、第４のＡＭＦは、現在端末装置にサービスを提供しているＡＭＦであり、第４のＰＣＦは、現在端末装置にサービスを提供しているＰＣＦであり、第４のＰＣＦと第４のＡＭＦとの間にＡＭポリシーアソシエーションが確立される。第３のＡＭＦは、第４のＡＭＦが端末装置にサービスを提供する前に端末装置にサービスを提供するＡＭＦである。また、第３のＡＭＦが端末装置にサービスを提供する処理においても、第３のＰＣＦと第３のＡＭＦとの間にＡＭポリシーアソシエーションが確立される。第４のＰＣＦは、第３のＰＣＦとは異なるＰＣＦであり、第４のＡＭＦとＡＭポリシーアソシエーションを確立する。
【０２６３】
Ｓ１０１０．第３のＡＭＦは、第３のＰＣＦに、端末装置のために第３のＰＣＦとのＡＭポリシーアソシエーションを確立することを要求するために使用される第１のアソシエーション要求情報を送信し、ここで、第１のアソシエーション要求情報は、第３のＡＭＦの第３のＡＭＦ識別子情報をさらに含む。
【０２６４】
具体的には、第３のＡＭＦと第３のＰＣＦがＡＭポリシーアソシエーションを確立する処理では、第１のアソシエーション要求情報に第３のＡＭＦの識別子が加えられる。
【０２６５】
Ｓ１０２０．第４のＡＭＦは、第４のＰＣＦに、端末装置のために第３のＰＣＦとのＡＭポリシーアソシエーションを確立することを要求するために使用される第２のアソシエーション要求情報を送信し、ここで、第２のアソシエーション要求情報は、第４のＡＭＦの第４のＡＭＦの識別子情報をさらに含む。
【０２６６】
端末装置の移動または他の理由により、以前に端末装置にサービスを提供していたＡＭＦが第３のＡＭＦから第４のＡＭＦに変更された場合、第４のＡＭＦは、第４のＰＣＦとの間でＡＭポリシーアソシエーションを確立する必要がある。同様に、第３のＡＭＦは、第４のＰＣＦに第２のアソシエーション要求情報を送信するときに、第４のＡＭＦの識別子を第２のアソシエーション要求情報に追加する。
【０２６７】
Ｓ１０３０．予め設定された期間の後、第３のＡＭＦは、第３のＰＣＦに第３の削除要求情報を送信し、ここで、第３の削除要求情報は、第３のＰＣＦに、端末装置に対する第３のＰＣＦと第３のＡＭＦとの間のＡＭポリシーアソシエーションを削除するように要求するために使用され、第３の削除要求情報は、第３のＡＭＦの識別子情報をさらに含む。
【０２６８】
具体的には、第３のＡＭＦは、予め設定された期間の後に、第３のＰＣＦに第３の削除要求情報を送信し、ここで、予め設定された期間は、第４のＡＭＦがＰＣＦを選択する期間より大きいまたはこれと等しく、第３のＰＣＦとのＡＭポリシーアソシエーションを確立するＡＭＦの最新の識別子（すなわち、第３のＡＭＦの識別子）を取得した後に、第３のＰＣＦは、記憶された第３のＡＭＦの最新の識別子と、第３の削除要求情報に含まれる第３のＡＭＦの識別子とを実質的に比較することができる。
【０２６９】
可能な実施形態では、第３のＡＭＦが統一されたデータ管理ＵＤＭから送信された登録解除情報を受信した後、第３のＡＭＦはタイマーを開始し、ここで、タイマーの期間は予め設定された期間である。
【０２７０】
図２を参照すると、ＵＤＭによって送信された登録解除メッセージを第３のＡＭＦが受信する段階は、図２のＳ２１５に対応していてよい。
【０２７１】
ＵＤＭが第３のＡＭＦに登録解除メッセージを送信する時点は、第４のＡＭＦがＰＣＦを選択する時点に比較的近いため、登録解除メッセージを受信した後に第３のＡＭＦがタイマーを開始すると、時間を節約できる可能性がある。
【０２７２】
例として、限定されないが、第３のＡＭＦが第３のＰＣＦ識別子情報を第４のＡＭＦに送信した後、第３のＡＭＦはタイマーを開始してもよく、タイマーの期間は予め設定された期間である。
【０２７３】
さらに図２を参照すると、第３のＡＭＦによって、第３のＰＣＦ識別子情報を第４のＡＭＦに送信する段階は、図２のＳ２０５に対応していてよい。
【０２７４】
Ｓ１０４０．第３のＰＣＦは、第３のＡＭＦ識別子情報と第３の削除要求情報とに基づいて、端末装置のためのＡＭポリシー制御情報を削除する。
【０２７５】
具体的には、第３のＰＣＦは、受信した最近のアソシエーション要求情報（すなわち、第１のアソシエーション要求情報）に担持されているＡＭＦの識別子と、第３の削除要求情報に担持されているＡＭＦの識別子とを比較する。２つのＡＭＦが同一であると決定された場合には、ＰＣＦが再利用されていないことを示し、第４のＡＭＦは別のＰＣＦを選択する。したがって、第３のＰＣＦは、端末装置のための第３のＰＣＦ内のＡＭポリシー制御情報を削除する。
【０２７６】
Ｓ１０５０．第３のＡＭＦは、端末装置のためのＡＭポリシー制御情報を削除する。
【０２７７】
したがって、本願の実施形態で提供されるアクセスおよびモビリティ管理ポリシーアソシエーションの終了方法によれば、ＰＣＦとのＡＭポリシーアソシエーションを確立する必要がある各ＡＭＦ（例えば、第３のＡＭＦまたは第４のＡＭＦ）は、ＡＭポリシーアソシエーション接続確立処理において、ＰＣＦ（例えば、第３のＰＣＦ）にＡＭＦの識別子を送信し、予め設定された期間後に、ＡＭＦの識別子を担持する削除要求情報を送信する。第３のＰＣＦは、ＡＭポリシーアソシエーションの確立時に受信したＡＭＦの最近の識別子（例えば、第３のＡＭＦの識別子）と、受信した削除要求情報に担持されているＡＭＦの識別子（例えば、第３のＡＭＦの識別子）とを比較する。２つのＡＭＦが同一の場合、第３のＰＣＦはＡＭポリシー制御情報を削除し、ＡＭＦもＡＭポリシー制御情報を削除するので、システムリソースが節約される。
【０２７８】
以下、登録処理の具体的な手順を用いて、ＰＣＦを再利用しない場合の実施形態を、図１４を参照して詳細に説明する。
【０２７９】
Ｓ１１０１１．第３のＡＭＦは、第３のＰＣＦとのＡＭポリシーアソシエーションを確立するときに、第１のアソシエーション要求情報を第３のＰＣＦに送信し、ここで、第１のアソシエーション要求情報は、第３のＡＭＦの第３のＡＭＦ識別子情報を担持する。
【０２８０】
Ｓ１１０１からＳ１１１４は、それぞれ図２のＳ２０１からＳ２１４に対応するものであってよい。繰り返しを避けるために、図２のＳ２０１からＳ２１４の説明を参照されたい。
【０２８１】
Ｓ１１１５．ＵＤＭは、第３のＡＭＦに登録解除情報を送信する。
【０２８２】
Ｓ１１１５１．第３のＡＭＦはタイマーを開始する。
【０２８３】
Ｓ１１１６．第４のＡＭＦはＰＣＦを選択する。Ｓ１１１６は、図２のＳ２１６に対応していてよい。繰り返しを避けるために、図２のＳ２１６の説明を参照されたい。
【０２８４】
Ｓ１１１７．第４のＡＭＦは、第４のＰＣＦとのＡＭポリシーアソシエーションを確立する。Ｓ１１１７は、図３のＳ２１７１からＳ２１７４にそれぞれ対応する可能性のあるＳ１１１７１からＳ１１１７４を含む。Ｓ１１１７１において、第４のＡＭＦは、第４のＰＣＦに第２のアソシエーション要求情報を送信し、ここで、第２のアソシエーション要求情報は、第４のＡＭＦを識別するために使用される第４のＡＭＦ識別子情報を担持する。
【０２８５】
Ｓ１１１８は、図２のＳ２１８に対応していてよい。
【０２８６】
Ｓ１１１９１．第３のＡＭＦは、第３のＰＣＦに第３の削除要求情報を送信する。Ｓ１１１９１は、図１３のＳ１０３０に対応していてよい。繰り返しを避けるために、図１３のＳ１０３０の説明を参照されたい。
【０２８７】
Ｓ１１１９２．第３のＰＣＦは、第３のＰＣＦに記憶されている端末装置のためのＡＭポリシー制御情報を削除する。Ｓ１１１９２は、図１３のＳ１０４０に対応していてよい。繰り返しを避けるために、図１３のＳ１０４０の説明を参照されたい。
【０２８８】
Ｓ１１１９３．第３のＡＭＦは、第３のＡＭＦに記憶されている端末装置のためのＡＭポリシー制御情報を削除することが、図１３のＳ１０５０に対応するものであってよい。繰り返しを避けるために、図１３のＳ１０５０の説明を参照されたい。
【０２８９】
Ｓ１１２０およびＳ１１２１は、それぞれ、図２のＳ２２０およびＳ２２１に対応するものであってよい。繰り返しを避けるために、図２のＳ２２０およびＳ２２１の説明を参照されたい。
【０２９０】
前述では、図１から図１４を参照して、本願の実施形態におけるアクセスおよびモビリティ管理ポリシーアソシエーションの終了方法を詳細に説明した。以下では、図１５から図２２を参照して、本願の実施形態におけるアクセスおよびモビリティ管理ポリシーアソシエーションの終了装置を説明する。方法の実施形態に記載された技術的特徴は、以下の装置の実施形態にも適用可能である。
【０２９１】
図１５は、本願の実施形態におけるアクセスおよびモビリティ管理ポリシーアソシエーションの終了装置１２００を示す。本装置１２００は、
第１のＰＣＦの第１のポリシー制御機能ＰＣＦ識別子情報を第２のＡＭＦに送信するように構成されている送信ユニット１２１０であって、ここで、
送信ユニット１２１０は、第１のＰＣＦに第１の削除要求情報を送信するようにさらに構成されており、ここで、第１の削除要求情報は、第１のＰＣＦと本装置との間の端末装置のためのＡＭポリシーアソシエーションを削除するように第１のＰＣＦに要求するために使用され、第１のＰＣＦは、第２のＰＣＦとは異なるものである、送信ユニット１２００と、
処理ユニット１２２０であって、ここで、処理ユニットは、端末装置のＡＭポリシー制御情報を削除するように構成されており、ここで、
第２のＡＭＦは、現在端末装置にサービスを提供するＡＭＦであり、本装置は、第２のＡＭＦが端末装置にサービスを提供する前に端末装置にサービスを提供するＡＭＦであり、第２のＰＣＦは、現在端末装置にサービスを提供するＰＣＦであり、第１のＰＣＦは、第２のＰＣＦが端末装置にサービスを提供する前に端末装置にサービスを提供するＰＣＦである処理ユニット１２２０と、を含む。
【０２９２】
可能な実施形態では、本装置は、受信ユニット１２３０をさらに含む。
【０２９３】
送信ユニット１２１０は、具体的には、
受信ユニット１２３０が、予め設定された期間内に、第１のＰＣＦによって送信された第２の削除要求情報を受信していない場合、第１の削除要求情報を第２のＡＭＦに送信し、ここで、第２の削除要求情報は、第１のＰＣＦと本装置との間で、端末装置のためのＡＭポリシー制御情報を削除するように装置に要求するために使用されるように構成される。
【０２９４】
可能な実施形態では、本装置は、受信ユニット１２３０をさらに含む。
【０２９５】
処理ユニット１２２０は、
受信ユニット１２３０が、統一されたデータ管理ＵＤＭによって送信された登録解除情報を受信した後、タイマーを開始し、ここで、タイマーの期間は予め設定された期間であり、または、
受信ユニット１２３０が第１のＰＣＦ識別子情報を第２のＡＭＦに送信した後、タイマーを開始し、ここで、タイマーの期間は予め設定された期間であるようにさらに構成される。
【０２９６】
可能な実施形態では、本装置は、受信ユニット１２３０をさらに含む。受信ユニット１２３０は、
第２のＡＭＦによって送信された第２のＰＣＦの第２のＰＣＦ識別子情報を受信する、または、
第２のＡＭＦによって送信された第１の指示情報を受信し、ここで、第１の指示情報は、第１のＰＣＦが第２のＰＣＦと異なることを示すために使用される、ように構成される。
【０２９７】
したがって、本願の実施形態で提供されるアクセスおよびモビリティ管理ポリシーアソシエーションの終了装置によれば、第２のＡＭＦによって選択された第２のＰＣＦが第１のＰＣＦと異なる場合、本装置は、第１のＰＣＦに、ＡＭポリシーアソシエーションを削除するように第１のＰＣＦに命令するために使用される第１の削除要求情報を送信するので、第１のＰＣＦは、対応するＡＭポリシー制御情報を削除することができ、それによりシステムリソースを効果的に節約することができる。
【０２９８】
アクセスおよびモビリティ管理ポリシーアソシエーションの終了装置１２００は、方法３００に記載された第１のＡＭＦに対応していてよく（例えば、同じように構成されていてよく）、アクセスおよびモビリティ管理ポリシーアソシエーションの終了装置１２００内の各モジュールまたはユニットは、方法３００において第１のＡＭＦによって実行される様々なアクションまたは処理プロセスを実行するように構成される。繰り返しを避けるため、本明細書では詳細な説明を省略する。
【０２９９】
本願の実施形態では、装置１２００は、第１のＡＭＦであってよい。この場合、装置１２００は、プロセッサ、送信機、および受信機を含んでよい。プロセッサ、送信機、および受信機は通信可能に接続されている。オプションとして、装置はメモリをさらに含み、メモリはプロセッサに通信可能に接続されている。オプションとして、プロセッサ、メモリ、送信機、および受信機は、通信可能に接続されていてよい。メモリは、命令を記憶するように構成されていてよい。プロセッサは、メモリに記憶された命令を実行し、送信機が情報を送信するように制御する、または受信機が信号を受信するように制御するように構成されている。
【０３００】
この場合、図１５に示す装置１２００内の送信ユニット１２１０が送信機に対応してよく、図１５に示す装置１２００内の処理ユニット１２２０がまたプロセッサに対応してもよい。別の実施形態では、送信機および受信機は、同一コンポーネント：トランシーバによって実装されてよい。
【０３０１】
本願の実施形態では、装置１２００は、端末装置に搭載されたチップ（またはチップシステム）であってよい。この場合、装置１２００は、プロセッサおよび入出力インタフェースを含んでよい。プロセッサは、入出力インタフェースを介してネットワーク装置のトランシーバに通信可能に接続されていてよい。オプションとして、装置はメモリをさらに含み、メモリはプロセッサに通信可能に接続されている。オプションとして、プロセッサ、メモリ、およびトランシーバは、通信可能に接続されてもく、メモリは、命令を記憶するように構成されてよく、プロセッサは、情報または信号を送信するようにトランシーバを制御するために、メモリに記憶された命令を実行するように構成されてよい。
【０３０２】
この場合、図１５に示す装置１２００内の送信ユニットが出力インタフェースに対応してよく、図１５に示す装置１２００内の処理ユニットがプロセッサに対応してよい。
【０３０３】
図１６は、本願の実施形態におけるアクセスおよびモビリティ管理ポリシーアソシエーションの終了装置１３００を示す。装置１３００は、
第１のアクセスおよびモビリティ管理機能ＡＭＦによって送信された第１の削除要求情報を受信するように構成された受信ユニット１３１０であって、ここで、第１の削除要求情報は、装置と第１のＡＭＦとの間の端末装置のためのＡＭポリシーアソシエーションを削除するように装置に要求するために使用され、装置は、第２のＰＣＦとは異なるものである、受信ユニット１３１０と、
端末装置のＡＭポリシー制御情報を削除するように構成された処理ユニット１３２０であって、ここで、第１のＡＭＦは、第２のＡＭＦが端末装置にサービスを提供する前に端末装置にサービスを提供するＡＭＦであり、第２のＡＭＦは、現在端末装置にサービスを提供するＡＭＦであり、装置は、第２のＰＣＦが端末装置にサービスを提供する前に端末装置にサービスを提供するＰＣＦであり、第２のＰＣＦは、現在端末装置にサービスを提供するＰＣＦである、処理ユニット１３２０と、を含む。
【０３０４】
したがって、本願の実施形態で提供されるアクセスおよびモビリティ管理ポリシーアソシエーションの終了装置によれば、第２のＡＭＦによって選択された第２のＰＣＦが装置と異なるとき、第１のＡＭＦは、ＡＭポリシーアソシエーションの削除を装置に命令するために使用される第１の削除要求情報を装置に送信するので、装置は、対応するＡＭポリシー制御情報を削除することができ、それによりシステムリソースを効果的に節約することができる。
【０３０５】
アクセスおよびモビリティ管理ポリシーアソシエーションの終了装置１３００は、方法３００に記載された第１のＰＣＦに対応していてよく（例えば、同じように構成されていてよく）、アクセスおよびモビリティ管理ポリシーアソシエーションの終了装置１３００内の各モジュールまたはユニットは、方法３００において第１のＰＣＦによって実行される様々な動作または処理プロセスを実行するように構成される。繰り返しを避けるため、本明細書では詳細な説明を省略する。
【０３０６】
本願の実施形態では、装置１３００は、第１のＰＣＦであってよい。この場合、装置１３００は、プロセッサ、送信機、および受信機を含んでよい。プロセッサ、送信機、および受信機は通信可能に接続されている。オプションとして、装置はメモリをさらに含み、メモリはプロセッサに通信可能に接続されている。オプションとして、プロセッサ、メモリ、送信機、および受信機は、通信可能に接続されていてよい。メモリは、命令を記憶するように構成されていてよい。プロセッサは、メモリに記憶された命令を実行し、送信機が情報を送信するように制御する、または受信機が信号を受信するように制御するように構成されている。
【０３０７】
この場合、図１６に示す装置１３００の受信ユニット１３１０が受信機に対応してよく、図１６に示す装置１３００の処理ユニット１３２０もプロセッサに対応してもよい。別の実施形態では、送信機および受信機は、同一コンポーネント：トランシーバによって実装されてよい。
【０３０８】
本願の実施形態では、装置１３００は、端末装置に取り付けられたチップ（またはチップシステム）であってよい。この場合、装置１３００は、プロセッサと入出力インタフェースを含んでよい。プロセッサは、入出力インタフェースを介してネットワーク装置のトランシーバに通信可能に接続されていてよい。オプションとして、装置はメモリをさらに含み、メモリはプロセッサに通信可能に接続されている。オプションとして、プロセッサ、メモリ、およびトランシーバは、通信可能に接続されてよく、メモリは、命令を記憶するように構成されてよく、プロセッサは、情報または信号を送信するようにトランシーバを制御するために、メモリに記憶された命令を実行するように構成される。
【０３０９】
この場合、図１６に示す装置１３００の受信ユニットが入力インタフェースに対応してよく、図６に示す装置１３００の処理ユニットがプロセッサに対応してよい。
【０３１０】
図１７は、本願の実施形態におけるアクセスおよびモビリティ管理ポリシーアソシエーションの終了装置１４００を示す。装置１４００は、
第２のポリシー制御機能ＰＣＦの第２のＰＣＦの識別子情報を第１のＡＭＦに送信するように構成された送信ユニット１４１０、または、
第１のＡＭＦに第１の指示情報を送信するように構成された送信ユニット１４１０であって、ここで、第１の指示情報は、第２のＰＣＦが第１のＰＣＦとは異なることを示すために使用され、ここで、
第２のＡＭＦは、現在端末装置にサービスを提供するＡＭＦであり、第１のＡＭＦは、第２のＡＭＦが端末装置にサービスを提供する前に端末装置にサービスを提供するＡＭＦであり、第２のＰＣＦは、現在端末装置にサービスを提供するＰＣＦであり、第１のＰＣＦは、第２のＰＣＦが端末装置にサービスを提供する前に端末装置にサービスを提供するＰＣＦである、送信ユニット１４１０を含む。
【０３１１】
したがって、本願の実施形態で提供されるアクセスおよびモビリティ管理ポリシーアソシエーションの終了装置によれば、装置は、第２のＰＣＦの識別子情報または第１の指示情報を第１のＡＭＦに送信して、第１のＡＭＦは第２のＰＣＦが第１のＰＣＦと同一であるか否かを決定してよい。このように、第２のＰＣＦが第１のＰＣＦと異なる場合、第１のＡＭＦは、第１のＰＣＦに対して、ＡＭポリシーアソシエーションの削除を第１のＰＣＦに命令するために使用される情報を送信してよいので、第１のＰＣＦは、対応するＡＭポリシー制御情報を削除し、システムリソースを効果的に節約する。
【０３１２】
アクセスおよびモビリティ管理ポリシーアソシエーションの終了装置１４００は、方法３００に記載された第２のＰＣＦに対応していてよく（例えば、同じように構成されていてよく）、アクセスおよびモビリティ管理ポリシーアソシエーションの終了装置１４００内の各モジュールまたはユニットは、方法３００において第２のＰＣＦによって実行される様々なアクションまたは処理プロセスを実行するように構成される。繰り返しを避けるため、本明細書では詳細な説明を省略する。
【０３１３】
本願の実施形態では、装置１４００は、第２のＡＭＦであってよい。この場合、装置１４００は、プロセッサ、送信機、および受信機を含んでよい。プロセッサ、送信機、および受信機は通信可能に接続されている。オプションとして、装置はメモリをさらに含み、メモリはプロセッサに通信可能に接続されている。オプションとして、プロセッサ、メモリ、送信機、および受信機は、通信可能に接続されていてよい。メモリは、命令を記憶するように構成されていてよい。プロセッサは、メモリに記憶された命令を実行し、送信機が情報を送信するように制御する、または受信機が信号を受信するように制御するように構成されている。
【０３１４】
この場合、図１７に示す装置１４００内の送信ユニット１４１０が送信機に対応していてよい。
【０３１５】
本願の実施形態では、装置１４００は、端末装置に搭載されたチップ（またはチップシステム）であってよい。この場合、装置１４００は、プロセッサおよび入出力インタフェースを含んでよい。プロセッサは、入出力インタフェースを介してネットワーク装置のトランシーバに通信可能に接続されていてよい。オプションとして、装置はメモリをさらに含み、メモリはプロセッサに通信可能に接続されている。オプションとして、プロセッサ、メモリ、およびトランシーバは、通信可能に接続されてよく、メモリは、命令を記憶するように構成されてよく、プロセッサは、情報または信号を送信するようにトランシーバを制御するために、メモリに記憶された命令を実行するように構成される。
【０３１６】
この場合、図１７に示す装置１４００内の送信ユニットは、出力インタフェースに対応していてよい。
【０３１７】
図１８は、本願の実施形態におけるアクセスおよびモビリティ管理ポリシーアソシエーションの終了装置１５００を示す。装置１５００は、
第２のアクセスおよびモビリティ管理機能ＡＭＦによって送信されたアソシエーション要求情報を受信するように構成された受信ユニット１５１０であって、ここで、アソシエーション要求情報は、端末装置のために装置とＡＭポリシーアソシエーションを確立するように要求するために使用され、アソシエーション要求情報は、第１のＰＣＦが装置と同一であるか否かを決定するために使用される第２の指示情報をさらに含む、受信ユニット１５１０と、
第２の指示情報に従って第２の削除要求情報を第１のＡＭＦに送信するように構成された送信ユニット１５２０であって、ここで、第２の削除要求情報は、第１のＡＭＦに第１のＰＣＦと第１のＡＭＦとの間の端末装置のためのＡＭポリシー制御情報を削除するように要求するために使用される、送信ユニット１５２０と、
端末装置のAMポリシー制御情報を保持するように構成された処理ユニット１５３０であって、ここで、
第２のＡＭＦは、現在、端末装置にサービスを提供するＡＭＦであり、第１のＡＭＦは、第２のＡＭＦが端末装置にサービスを提供する前に端末装置にサービスを提供するＡＭＦであり、装置は、現在、端末装置にサービスを提供するＰＣＦであり、第１のＰＣＦは、装置が端末装置にサービスを提供する前に端末装置にサービスを提供するＰＣＦである、処理ユニット１５３０と、を含む。
【０３１８】
可能な実施形態では、送信ユニット１５２０は、具体的に以下のように構成される。第１のＰＣＦが装置と同一である場合、第２の削除要求情報を第１のＡＭＦに送信する。
【０３１９】
可能な実施形態では、第２の指示情報は、第１のＰＣＦの第１のＰＣＦ識別子情報を含む。
【０３２０】
処理ユニット１５３０は、さらに以下のように構成される。第１のＰＣＦ識別子情報と装置とに基づいて、第１のＰＣＦが装置と同一であることを決定する。
【０３２１】
したがって、本願の実施形態で提供されるアクセスおよびモビリティ管理ポリシーアソシエーションの終了装置によれば、第２のＡＭＦとＡＭポリシーアソシエーションを確立した装置は、第２のＡＭＦから送信され、第１のＡＭＦとＡＭポリシーアソシエーションを確立した第１のＰＣＦが装置と同一であるか否かを決定するために使用される第２の指示情報を受信する。ここで、第１のＡＭＦは、第２のＡＭＦが端末装置にサービスを提供する前の端末装置にサービスを提供するＡＭＦであり、装置は、第２の指示情報に応じて削除要求情報を送信することから、第２のＡＭＦは、端末装置のためのＡＭポリシー制御情報を削除することができ、システムリソースも節約される。
【０３２２】
アクセスおよびモビリティ管理ポリシーアソシエーションの終了装置１５００は、方法７００に記載された第２のＰＣＦに対応していてもよく（例えば、同じように構成されていてもよく）、アクセスおよびモビリティ管理ポリシーアソシエーションの終了装置１５００内の各モジュールまたはユニットは、方法７００において第２のＰＣＦによって実行される様々な動作または処理プロセスを実行するように構成されていてもよい。繰り返しを避けるため、本明細書では詳細な説明を省略する。
【０３２３】
本願の実施形態では、装置１５００は、第１のＰＣＦであってもよい。この場合、装置１５００は、プロセッサ、送信機、および受信機を含んでもよい。プロセッサ、送信機、および受信機は通信可能に接続されている。オプションとして、装置はメモリをさらに含み、メモリはプロセッサに通信可能に接続されている。オプションとして、プロセッサ、メモリ、送信機、および受信機は、通信可能に接続されていてもよい。メモリは、命令を記憶するように構成されていてもよい。プロセッサは、メモリに記憶された命令を実行し、送信機が情報を送信するように制御するか、または受信機が信号を受信するように制御するように構成されている。
【０３２４】
この場合、図１８に示す装置１５００の受信ユニット１５１０が受信機に対応してもよく、図１８に示す装置１５００の送信ユニット１５２０が送信機に対応してもよく、図１８に示す装置１５００の処理ユニット１５３０がプロセッサに対応してもよい。別の実施形態では、送信機および受信機は、同一コンポーネント：トランシーバによって実装されてもよい。
【０３２５】
本願の実施形態では、装置１５００は、端末装置に搭載されたチップ（またはチップシステム）であってもよい。この場合、装置１５００は、プロセッサと入出力インタフェースとを含んでもよい。プロセッサは、入出力インタフェースを介してネットワーク装置のトランシーバに通信可能に接続されていてもよい。オプションとして、装置はメモリをさらに含み、メモリはプロセッサに通信可能に接続されている。オプションとして、プロセッサ、メモリ、およびトランシーバは、通信可能に接続されてもよく、メモリは、命令を記憶するように構成されてもよく、プロセッサは、情報または信号を送信するようにトランシーバを制御するために、メモリに記憶された命令を実行するように構成されてもよい。
【０３２６】
この場合、図１８に示す装置１５００内の受信ユニットは入力インタフェースに対応してもよく、図１８に示す装置１５００内の送信ユニットは出力インタフェースに対応してもよく、図１８に示す装置１２００内の処理ユニットはプロセッサに対応してもよい。
【０３２７】
図１９は、本願の実施形態におけるアクセスおよびモビリティ管理ポリシーアソシエーションの終了装置１６００を示す。装置１６００は、
第２のポリシー制御機能ＰＣＦによって送信された第２の削除要求情報を受信するように構成された受信ユニット１６１０であって、ここで、第２の削除要求情報は、第１のＰＣＦと端末装置のための装置との間でＡＭポリシー制御情報を削除するように装置に要求するために使用され、第１のＰＣＦは第２のＰＣＦと同一である、受信ユニット１６１０と、
端末装置のAMポリシー制御情報を削除するように構成された処理ユニット１６２０であって、ここで、
装置は、第２のＡＭＦが端末装置にサービスを提供する前に端末装置にサービスを提供するＡＭＦであり、第２のＡＭＦは、現在、端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである、処理ユニット１６２０と、を含む。
【０３２８】
したがって、本願の実施形態で提供されるアクセスおよびモビリティ管理ポリシーアソシエーションの終了装置によれば、第１のＰＣＦとＡＭポリシーアソシエーションを確立した装置は、第２のＡＭＦから送信された第２の削除要求情報を受信したことに応じて、端末装置のためのＡＭポリシー制御情報を削除するので、システムリソースを節約することができる。
【０３２９】
アクセスおよびモビリティ管理ポリシーアソシエーションの終了装置１６００は、方法７００に記載された第１のＡＭＦに対応していてもよく（例えば、同じように構成されていてもよく）、アクセスおよびモビリティ管理ポリシーアソシエーションの終了装置１６００内の各モジュールまたはユニットは、方法７００において第１のＡＭＦによって実行される様々なアクションまたは処理プロセスを実行するように構成されていてもよい。繰り返しを避けるため、本明細書では詳細な説明を省略する。
【０３３０】
本願の実施形態では、装置１６００は、第１のＡＭＦであってもよい。この場合、装置１６００は、プロセッサ、送信機、および受信機を含んでもよい。プロセッサ、送信機、および受信機は通信可能に接続されている。オプションとして、装置はメモリをさらに含み、メモリはプロセッサに通信可能に接続されている。オプションとして、プロセッサ、メモリ、送信機、および受信機は、通信可能に接続されていてもよい。メモリは、命令を記憶するように構成されていてもよい。プロセッサは、メモリに記憶された命令を実行し、送信機が情報を送信するように制御するか、または受信機が信号を受信するように制御するように構成されている。
【０３３１】
この場合、図１９に示す装置１６００内の受信ユニット１６１０が受信機に対応してもよく、図１９に示す装置１６００内の処理ユニット１６２０もプロセッサに対応してもよい。別の実施形態では、送信機および受信機は、同一コンポーネント：トランシーバによって実装されてもよい。
【０３３２】
本願の実施形態では、装置１６００は、端末装置に搭載されたチップ（またはチップシステム）であってもよい。この場合、装置１６００は、プロセッサおよび入出力インタフェースを含んでもよい。プロセッサは、入出力インタフェースを介してネットワーク装置のトランシーバに通信可能に接続されていてもよい。オプションとして、装置はメモリをさらに含み、メモリはプロセッサに通信可能に接続されている。オプションとして、プロセッサ、メモリ、およびトランシーバは、通信可能に接続されてもよく、メモリは、命令を記憶するように構成されてもよく、プロセッサは、情報または信号を送信するようにトランシーバを制御するために、メモリに記憶された命令を実行するように構成されてもよい。
【０３３３】
この場合、図１９に示す装置１６００における受信ユニットが入力インタフェースに対応してもよく、図１９に示す装置１６００における処理ユニットがプロセッサに対応してもよい。
【０３３４】
図２０は、本願の実施形態におけるアクセスおよびモビリティ管理ポリシーアソシエーションの終了装置１７００を示す。装置１７００は、
第３のアクセスおよびモビリティ機能ＡＭＦによって送信され、端末装置のために第３のＰＣＦとのＡＭポリシーアソシエーションを確立するように要求するために使用される第１のアソシエーション要求情報を受信するように構成された受信ユニット１７１０であって、ここで、第１のアソシエーション要求情報は、第３のＡＭＦを識別するために使用される第３のＡＭＦ識別子情報をさらに含み、ここで、
受信ユニット１７１０は、第４のアクセスおよびモビリティ管理機能ＡＭＦによって送信された第２のアソシエーション要求情報を受信するようにさらに構成されており、ここで、第２のアソシエーション要求情報は、端末装置のための第３のＰＣＦとのＡＭポリシーアソシエーションの確立を要求するために使用され、第２のアソシエーション要求情報は、第４のＡＭＦを識別するために使用される第４のＡＭＦ識別子情報をさらに含み、
受信ユニット１７１０は、第３のＡＭＦによって送信された第３の削除要求情報を受信するようにさらに構成され、ここで、第３の削除要求情報は、端末装置に対して第３のＰＣＦと第３のＡＭＦとの間のＡＭポリシーアソシエーションを削除するように第３のＰＣＦに要求するために使用され、第３の削除要求情報は、第３のＡＭＦの識別子情報をさらに含む、受信ユニット１７１０と、
第４のＡＭＦ識別子情報と第３の削除要求情報とに基づいて、端末装置のＡＭポリシー制御情報を保持するように構成された処理ユニット１７２０と、を含む。
【０３３５】
したがって、本願の実施形態で提供されるアクセスおよびモビリティ管理ポリシーアソシエーションの終了装置によれば、ＰＣＦ（例えば、第３のＰＣＦ）とのＡＭポリシーアソシエーションを確立する必要がある各ＡＭＦ（例えば、第３のＡＭＦまたは第４のＡＭＦ）は、ＡＭポリシーアソシエーション接続確立処理において、ＡＭＦの識別子を第３のＰＣＦに送信し、予め設定された期間後に、ＡＭＦの識別子を担持する削除要求情報を送信する。第３のＰＣＦは、ＡＭポリシーアソシエーションの確立時に受信したＡＭＦの最近の識別子（例えば、第４のＡＭＦの識別子）と、受信した削除要求情報に保持されているＡＭＦの識別子（例えば、第３のＡＭＦの識別子）とを比較する。また、２つのＡＭＦが異なる場合には、第３のＰＣＦがＡＭポリシー制御情報を保持し、第３のＡＭＦのみがＡＭポリシー制御情報を削除することから、ＰＣＦ内のＡＭポリシー制御情報が再利用され、システムリソースも節約される。
【０３３６】
アクセスおよびモビリティ管理ポリシーアソシエーションの終了装置１７００は、方法８００に記載された第３のＰＣＦに対応していてもよく（例えば、同じように構成されていてもよく）、アクセスおよびモビリティ管理ポリシーアソシエーションの終了装置１７００内の各モジュールまたはユニットは、方法８００において第３のＰＣＦによって実行される様々なアクションまたは処理プロセスを実行するように構成されていてもよい。繰り返しを避けるため、本明細書では詳細な説明を省略する。
【０３３７】
本願の実施形態では、装置１７００は、第３のＰＣＦであってもよい。この場合、装置１７００は、プロセッサ、送信機、および受信機を含んでもよい。プロセッサ、送信機、および受信機は通信可能に接続されている。オプションとして、装置はメモリをさらに含み、メモリはプロセッサに通信可能に接続されている。オプションとして、プロセッサ、メモリ、送信機、および受信機は、通信可能に接続されていてもよい。メモリは、命令を記憶するように構成されていてもよい。プロセッサは、メモリに記憶された命令を実行し、送信機が情報を送信するように制御するか、または受信機が信号を受信するように制御するように構成されている。
【０３３８】
この場合、図２０に示す装置１７００内の受信ユニット１７１０が受信機に対応してもよく、図２０に示す装置１７００内の処理ユニット１７２０がプロセッサに対応してもよい。別の実施形態では、送信機および受信機は、同一コンポーネント：トランシーバによって実装されてもよい。
【０３３９】
本願の実施形態では、装置１７００は、端末装置に搭載されたチップ（またはチップシステム）であってもよい。この場合、装置１７００は、プロセッサおよび入出力インタフェースを含んでもよい。プロセッサは、入出力インタフェースを介してネットワーク装置のトランシーバに通信可能に接続されていてもよい。オプションとして、装置はメモリをさらに含み、メモリはプロセッサに通信可能に接続されている。オプションとして、プロセッサ、メモリ、およびトランシーバは、通信可能に接続されてもよく、メモリは、命令を記憶するように構成されてもよく、プロセッサは、情報または信号を送信するようにトランシーバを制御するために、メモリに記憶された命令を実行するように構成されてもよい。
【０３４０】
この場合、図２０に示す装置１７００内の受信ユニットが入力インタフェースに対応してもよく、図２０に示す装置１７００内の処理ユニットがプロセッサに対応してもよい。
【０３４１】
図２１は、本願の実施形態におけるアクセスおよびモビリティ管理ポリシーアソシエーションの終了装置１８００を示す。装置１８００は、
第３のアクセスおよびモビリティ管理機能ＡＭＦによって送信された第１のアソシエーション要求情報を受信するように構成された受信ユニット１８１０であって、ここで、第１のアソシエーション要求情報は、端末装置のための第３のＰＣＦとのＡＭポリシーアソシエーションの確立を要求するために使用され、第１のアソシエーション要求情報は、第３のＡＭＦを識別するために使用される第３のＡＭＦ識別子情報をさらに含み、ここで、
受信ユニット１８１０は、第３のＡＭＦによって送信された第３の削除要求情報を受信するようにさらに構成されており、ここで、第３の削除要求情報は、第３のＰＣＦと端末装置のための第３のＡＭＦとの間のＡＭポリシー制御情報を削除するように第３のＰＣＦに要求するために使用され、第３の削除要求情報は、第３のＡＭＦの識別子情報をさらに含む、受信ユニット１８１０と、
第３のＡＭＦ識別子情報と第３の削除要求情報とに基づいて、端末装置のＡＭポリシー制御情報を削除するように構成された処理ユニット１８２０と、を含む。
【０３４２】
したがって、本願の実施形態で提供されるアクセスおよびモビリティ管理ポリシーアソシエーションの終了装置によれば、ＰＣＦとのＡＭポリシーアソシエーションを確立する必要がある各ＡＭＦ（例えば、第３のＡＭＦまたは第４のＡＭＦ）は、ＡＭポリシーアソシエーション接続確立処理において、ＰＣＦ（例えば、第３のＰＣＦ）にＡＭＦの識別子を送信し、予め設定された期間後に、ＡＭＦの識別子を担持する削除要求情報を送信する。第３のＰＣＦは、ＡＭポリシーアソシエーションの確立時に受信したＡＭＦの最近の識別子（例えば、第３のＡＭＦの識別子）と、受信した削除要求情報に保持されているＡＭＦの識別子（例えば、第３のＡＭＦの識別子）とを比較する。２つのＡＭＦが同一場合、第３のＰＣＦはＡＭポリシー制御情報を削除し、ＡＭＦもＡＭポリシー制御情報を削除することから、システムリソースが節約される。
【０３４３】
アクセスおよびモビリティ管理ポリシーアソシエーションの終了装置１８００は、方法９００に記載された第３のＰＣＦに対応していてもよく（例えば、同じように構成されていてもよく）、アクセスおよびモビリティ管理ポリシーアソシエーションの終了装置１８００内の各モジュールまたはユニットは、方法９００において第３のＰＣＦによって実行される様々な動作または処理プロセスを実行するように構成されていてもよい。繰り返しを避けるため、本明細書では詳細な説明を省略する。
【０３４４】
本願の実施形態では、装置１８００は、第３のＰＣＦであってもよい。この場合、装置１８００は、プロセッサ、送信機、および受信機を含んでもよい。プロセッサ、送信機、および受信機は通信可能に接続されている。オプションとして、装置はメモリをさらに含み、メモリはプロセッサに通信可能に接続されている。オプションとして、プロセッサ、メモリ、送信機、および受信機は、通信可能に接続されていてもよい。メモリは、命令を記憶するように構成されていてもよい。プロセッサは、メモリに記憶された命令を実行し、送信機が情報を送信するように制御するか、または受信機が信号を受信するように制御するように構成されている。
【０３４５】
この場合、図２１に示す装置１８００の受信ユニット１８１０が受信機に対応してもよく、図２０に示す装置１８００の処理ユニット１８２０もプロセッサに対応してもよい。別の実施形態では、送信機および受信機は、同一コンポーネント：トランシーバによって実装されてもよい。
【０３４６】
本願の実施形態では、装置１８００は、端末装置に搭載されたチップ（またはチップシステム）であってもよい。この場合、装置１８００は、プロセッサおよび入出力インタフェースを含んでもよい。プロセッサは、入出力インタフェースを介してネットワーク装置のトランシーバに通信可能に接続されていてもよい。オプションとして、装置はメモリをさらに含み、メモリはプロセッサに通信可能に接続されている。オプションとして、プロセッサ、メモリ、およびトランシーバは、通信可能に接続されてもよく、メモリは、命令を記憶するように構成されてもよく、プロセッサは、情報または信号を送信するようにトランシーバを制御するために、メモリに記憶された命令を実行するように構成されてもよい。
【０３４７】
この場合、図２１に示す装置１８００における受信ユニットが入力インタフェースに対応してもよく、図２１に示す装置１８００における処理ユニットがプロセッサに対応してもよい。
【０３４８】
図２２は、本願の実施形態におけるアクセスおよびモビリティ管理ポリシーアソシエーションの終了装置１９００を示す。装置１９００は、
第３のポリシー制御機能ＰＣＦに、端末装置のＡＭＦとのＡＭポリシーアソシエーションの確立を要求するために使用される第１のアソシエーション要求情報を送信するように構成される送信ユニット１９１０であって、ここで、第１のアソシエーション要求情報は、第３のＡＭＦを識別するために使用される第３のＡＭＦ識別子情報をさらに含み、ここで、
送信ユニット１９１０は、予め設定された期間後に第３のＰＣＦに第３の削除要求情報を送信するようにさらに構成され、ここで、第３の削除要求情報は、第３のＰＣＦと端末装置のための第３のＡＭＦとの間のＡＭポリシー制御情報を削除するように第３のＰＣＦに要求するために使用され、第３の削除要求情報は、第３のＡＭＦの識別子情報をさらに含む、送信ユニット１９１０と、
端末装置のＡＭポリシー制御情報を削除するように構成された処理ユニット１９２０と、を含む。
【０３４９】
したがって、本願の実施形態で提供されるアクセスおよびモビリティ管理ポリシーアソシエーションの終了装置によれば、ＡＭポリシーアソシエーション接続確立処理において、各ＡＭＦ（例えば、第３のＡＭＦ）は、ＡＭＦの識別子をＰＣＦ（例えば、第３のＰＣＦ）に送信し、予め設定された期間後に、ＡＭＦの識別子を担持する削除要求情報を送信する。このように、第３のＰＣＦは、ＡＭポリシーアソシエーションの確立時に受信したＡＭＦの最近の識別子（例えば、第３のＡＭＦまたは他のＡＭＦ）と、受信した削除要求情報に担持されているＡＭＦの識別子（例えば、第３のＡＭＦの識別子）とを比較してもよい。２つのＡＭＦが異なる場合には、第３のＰＣＦがＡＭポリシー制御情報を保持し、第３のＡＭＦのみがＡＭポリシー制御情報を削除する。あるいは、２つのＡＭＦが同一である場合には、第３のＰＣＦがＡＭポリシー制御情報を削除し、第３のＡＭＦもＡＭポリシー制御情報を削除する。このように、システムリソースが節約される。
【０３５０】
可能な実施形態では、装置は、受信ユニット１９３０をさらに含む。処理ユニット１９２０は、受信ユニット１９３０が、統一されたデータ管理ＵＤＭによって送信された登録解除情報を受信した後、タイマーを開始し、ここで、タイマーの期間は、予め設定された期間であるようにさらに構成される。
【０３５１】
ＵＤＭが第１のＡＭＦに登録解除メッセージを送信する時点は、第２のＡＭＦがＰＣＦを選択する時点に比較的近いため、登録解除メッセージを受信した後に第１のＡＭＦがタイマーを開始すると、時間を節約できる可能性がある。
【０３５２】
アクセスおよびモビリティ管理ポリシーアソシエーションの終了装置１９００は、方法８００または９００に記載された第３のＡＭＦに対応する（例えば、同じように構成されていてもよい）、アクセスおよびモビリティ管理ポリシーアソシエーションの終了装置１９００の各モジュールまたはユニットは、方法８００または９００において第３のＡＭＦによって実行される様々なアクションまたは処理プロセスを実行するように構成されている。繰り返しを避けるため、本明細書では詳細な説明を省略する。
【０３５３】
本願の実施形態では、装置１９００は、第３のＡＭＦであってもよい。この場合、装置１９００は、プロセッサ、送信機、および受信機を含んでもよい。プロセッサ、送信機、および受信機は通信可能に接続されている。オプションとして、装置はメモリをさらに含み、メモリはプロセッサに通信可能に接続されている。オプションとして、プロセッサ、メモリ、送信機、および受信機は、通信可能に接続されていてもよい。メモリは、命令を記憶するように構成されていてもよい。プロセッサは、メモリに記憶された命令を実行し、送信機が情報を送信するように制御するか、または受信機が信号を受信するように制御するように構成されている。
【０３５４】
この場合、図２２に示す装置１９００の送信ユニット１９１０が送信機に対応していてもよく、図２２に示す装置１９００の処理ユニット１９２０がプロセッサに対応していてもよい。別の実施形態では、送信機および受信機は、同一コンポーネント：トランシーバによって実装されてもよい。
【０３５５】
本願の実施形態では、装置１９００は、端末装置に搭載されたチップ（またはチップシステム）であってもよい。この場合、装置１９００は、プロセッサと入出力インタフェースを含んでもよい。プロセッサは、入出力インタフェースを介してネットワーク装置のトランシーバに通信可能に接続されていてもよい。オプションとして、装置はメモリをさらに含み、メモリはプロセッサに通信可能に接続されている。オプションとして、プロセッサ、メモリ、およびトランシーバは、通信可能に接続されてもよく、メモリは、命令を記憶するように構成されてもよく、プロセッサは、情報または信号を送信するようにトランシーバを制御するために、メモリに記憶された命令を実行するように構成されてもよい。
【０３５６】
この場合、図２２に示す装置１９００の送信ユニットが出力インタフェースに対応してもよく、図２２に示す装置１９００の処理ユニットがプロセッサに対応してもよい。
【０３５７】
本願の実施形態における前述の方法の実施形態は、プロセッサに適用されてもよいし、プロセッサによって実装されてもよいことに留意すべきである。プロセッサは、集積回路チップであってもよく、信号処理性能を有する。実施形態の処理において、前述の方法の実施形態の段階は、プロセッサ内のハードウェア統合論理回路を使用することによって、またはソフトウェアの形態の命令を使用することによって実施されることができる。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）または別のプログラマブル論理デバイス、ディスクリートゲートもしくはトランジスタ論理デバイス、またはディスクリートハードウェアコンポーネントであってよい。プロセッサは、本願の実施形態において開示される、方法、段階、および、論理ブロック図を実装または実行してもよい。汎用プロセッサはマイクロプロセッサであってもよいし、プロセッサは従来のプロセッサなどであってもよい。本願の実施形態を参照して開示された方法の段階は、ハードウェアデコードプロセッサを使用することによって直接実行および実現され得る、または、デコードプロセッサにおけるハードウェアおよびソフトウェアモジュールの組み合わせを使用することによって実行および実現され得る。ソフトウェアモジュールが、ランダムアクセスメモリ、フラッシュメモリ、リードオンリメモリ、プログラマブルリードオンリメモリ、電気的消去可能プログラマブルメモリ、またはレジスタなど、当技術分野の成熟した記憶媒体に位置してよい。記憶媒体はメモリ内に配置され、プロセッサはメモリ内の情報を読み取り、プロセッサのハードウェアと組み合わせて前述の方法の段階を完了する。
【０３５８】
本願の実施形態におけるメモリは、揮発性メモリまたは不揮発性メモリであってもよく、または揮発性メモリと不揮発性メモリとを含んでいてもよいことが理解され得る。不揮発性メモリは、リードオンリメモリ（Ｒｅａｄ−Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、またはフラッシュメモリであってよい。揮発性メモリは、ランダムアクセスメモリ（Ｒａｎｄｏｍ  Ａｃｃｅｓｓ  Ｍｅｍｏｒｙ、ＲＡＭ）であってよく、外部キャッシュとして使用される。例示的ではあるが限定的ではない説明を介して、多くの形態のＲＡＭが使用されてもよく、例えば、スタティックランダムアクセスメモリ（Ｓｔａｔｉｃ ＲＡＭ, ＳＲＡＭ）、ダイナミックランダムアクセスメモリ（Ｄｙｎａｍｉｃ ＲＡＭ, ＤＲＡＭ）、同期ダイナミックランダムアクセスメモリ（Ｓｙｎｃｈｒｏｎｏｕｓ ＤＲＡＭ, ＳＤＲＡＭ）などが挙げられる。ダブルデータレート同期ダイナミックランダムアクセスメモリ（Ｄｏｕｂｌｅ Ｄａｔａ Ｒａｔｅ ＳＤＲＡＭ, ＤＤＲ ＳＤＲＡＭ）、エンハンスト同期ダイナミックランダムアクセスメモリ（Ｅｎｈａｎｃｅｄ ＳＤＲＡＭ, ＥＳＤＲＡＭ）、シンチリンクダイナミックランダムアクセスメモリ（Ｓｙｎｃｈｌｉｎｋ ＤＲＡＭ, ＳＬＤＲＡＭ）、ダイレクトランバスダイナミックランダムアクセスメモリ（Ｄｉｒｅｃｔ Ｒａｍｂｕｓ ＲＡＭ, ＤＲ ＲＡＭ）。本明細書において説明されるシステムおよび方法のメモリには、限定されないが、これらおよび別の適切なタイプの任意のメモリが含まれることに留意されたい。
【０３５９】
当業者は、本明細書に開示した実施形態に記載の例を組み合わせると、ユニットおよびアルゴリズムの段階は、電子的ハードウェア、または、コンピュータソフトウェアと電子的ハードウェアとの組み合わせで実装されてよいことを気付くであろう。これらの機能がハードウェアおよびソフトウェアのどちらで実行されるかは、技術的解決策の特定の用途および設計制約で決まる。当業者であれば、異なる方法を用いて、説明した機能を特定の用途ごとに実装するかもしれないが、そのような実装が本願の範囲を超えるものと考慮されるべきではない。
【０３６０】
簡便かつ簡潔な説明のために、前述のシステム、装置、ユニットの詳細な動作プロセスについては、前述の方法の実施形態における対応するプロセスを参照されたく、詳細は再度本明細書で記載はしないことが、当業者によってはっきりと理解されるであろう。
【０３６１】
本願で提供されるいくつかの実施形態において、開示されたシステム、装置、および方法は、他の方式で実装されてもよいことが理解されるべきである。例えば、説明されている装置の実施形態は、単なる一例に過ぎない。例えば、ユニットの分割は単なる論理的機能の分割に過ぎず、実際の実装では他の分割であってもよい。例えば、複数のユニットまたは構成要素は別のシステムに組み合わされまたは統合されてよく、または、いくつかの機能が無視されまたは実行されなくてよい。さらに、表示されまたは議論される相互連結もしくは直接連結または通信接続は、いくつかのインタフェースを使用することにより実装され得る。装置間またはユニット間の間接連結または通信接続は、電子的形態、機械的形態、または他の形式で実装されてよい。
【０３６２】
別個の部分として説明されたユニットは、物理的に別個であってもなくてもよく、ユニットとして表示された部分は、物理ユニットであってもなくてもよく、１か所に配置されてもよく、または複数のネットワークユニットに分散されてもよい。これらのユニットのいくつかまたは全てが、実施形態の解決策の目的を達成するために、実際の要求に基づいて選択されてよい。
【０３６３】
また、本願の実施形態における機能ユニットは、１つの処理ユニットに統合されてもよく、または、それぞれのユニットは物理的に単独で存在してもよく、または、２つまたはそれより多くのユニットが１つのユニットに統合される。
【０３６４】
これらの機能がソフトウェア機能ユニットの形式で実装され、個別の製品として販売されるかまたは使用される場合、これらの機能はコンピュータ可読記憶媒体に記憶されてよい。そのような理解に基づいて、基本的に本願の技術的解決策または従来技術に対して寄与する一部または技術的解決策のいくつかが、ソフトウェア製品の形式で実装されてよい。コンピュータソフトウェア製品は、記憶媒体に記憶されており、コンピュータ装置（パーソナルコンピュータ、サーバ、またはネットワーク装置であってもよい）に、本願の実施形態に記載された方法の全てまたはある段階を実行するように命令するためのいくつかの命令を含む。前述の記憶媒体は、プログラムコードを記憶できるあらゆる媒体、例えば、ＵＳＢフラッシュドライブ、リムーバブルハードディスク、リードオンリメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光学ディスクなどを含む。
【０３６５】
前述の説明は、単に本願の特定の実装例に過ぎないが、本願の保護範囲を限定することが意図されていない。本願に開示された技術的範囲内で当業者により容易に案出される、あらゆる変形または置換は、本願の保護範囲に含まれるものとなる。したがって、本願の保護範囲は特許請求の範囲の保護範囲に従うものとなる。
【０３６６】
その他の可能な請求項
【０３６７】
例示的実施形態１  アクセスおよびモビリティ管理ポリシーアソシエーションの終了方法であって、
第１のアクセスおよびモビリティ管理機能であるＡＭＦによって、第１のＰＣＦの第１のポリシー制御機能ＰＣＦの識別子情報を第２のＡＭＦに送信する段階と、
第１のＡＭＦによって、第１のＰＣＦに第１の削除要求情報を送信する段階であって、第１の削除要求情報は、第１のＰＣＦに、端第１のＡＭＦと第１のＰＣＦとの間の端末装置のためのＡＭポリシーアソシエーションを削除するように要求するために使用され、第１のＰＣＦは、第２のＰＣＦとは異なる、段階と、
第１のＡＭＦによって、端末装置のためのＡＭポリシー制御情報を削除する段階であって、第２のＡＭＦは、現在、端末装置にサービスを提供するＡＭＦであり、第１のＡＭＦは、第２のＡＭＦが端末装置にサービスを提供する前に端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである段階と、を備える方法。
【０３６８】
例示的実施形態２  第１のＡＭＦによって第１のＰＣＦに第１の削除要求情報を送信する前に、方法は、
第１のＡＭＦによって、第２のＡＭＦによって送信された第２のＰＣＦの第２のＰＣＦ識別子情報を受信する段階、または、
第１のＡＭＦによって、第２のＡＭＦによって送信された第１の指示情報を受信する段階であって、第１の指示情報は、第１のＰＣＦが第２のＰＣＦと異なることを示すために使用される段階、をさらに備える例示的実施形態１に記載の方法。
【０３６９】
例示的実施形態３  第１のＡＭＦによって、第１のＰＣＦに第１の削除要求情報を送信する段階は、
第１のＡＭＦが、予め設定された期間内に、第１のＰＣＦによって送信された第２の削除要求情報を受信していない場合、第１のＡＭＦによって、第１の削除要求情報を第２のＡＭＦに送信する段階であって、第２の削除要求情報は、第１のＡＭＦに、第１のＰＣＦと第１のＡＭＦとの間の端末装置のためのＡＭポリシー制御情報を削除するように要求するために使用される、段階を備える、例示的実施形態１または２に記載の方法。
【０３７０】
例示的実施形態４  方法は、
第１のＡＭＦが統一されたデータ管理ＵＤＭから送信された登録解除情報を受信した後、第１のＡＭＦによってタイマーを開始する段階であって、タイマーの期間は予め設定された期間である段階、または、
第１のＡＭＦが第１のＰＣＦ識別子情報を第２のＡＭＦに送信した後、第１のＡＭＦによって、タイマーを開始しする段階であって、タイマーの期間は予め設定された期間である段階、をさらに備える、例示的実施形態３に記載の方法。
【０３７１】
例示的実施形態５アクセスおよびモビリティ管理ポリシーアソシエーションの終了方法であって、方法は、
第１のポリシー制御機能ＰＣＦによって、第１のアクセスおよびモビリティ管理機能ＡＭＦによって送信された第１の削除要求情報を受信する段階であって、第１の削除要求情報は、第１のＰＣＦと第１のＡＭＦとの間の端末装置のためのＡＭポリシーアソシエーションを削除するように第１のＰＣＦに要求するために使用され、第１のＰＣＦは、第２のＰＣＦとは異なるものである、段階と、
第１のＰＣＦによって、端末装置のためのＡＭポリシー制御情報を削除する段階であって、
第１のＡＭＦは、第２のＡＭＦが端末装置にサービスを提供する前に端末装置にサービスを提供するＡＭＦであり、第２のＡＭＦは、現在、端末装置にサービスを提供するＡＭＦであり、第１のＰＣＦは、第２のＰＣＦが端末装置にサービスを提供する前に端末装置にサービスを提供するＰＣＦであり、第２のＰＣＦは、現在、端末装置にサービスを提供するＰＣＦである段階と、を含む。
【０３７２】
例示的実施形態６アクセスおよびモビリティ管理ポリシーアソシエーションの終了方法であって、方法は、
第２のアクセスおよびモビリティ管理機能ＡＭＦによって、第１のＡＭＦから第１のＰＣＦの第１のポリシー制御機能ＰＣＦの識別子情報を受信する段階と、
第２のＡＭＦによって、第２のＰＣＦの第２のＰＣＦ識別子情報を第１のＡＭＦに送信する段階と、または、第２のＡＭＦによって、第１のＡＭＦに第１の指示情報を送信する段階であって、第１の指示情報は、第２のＰＣＦが第１のＰＣＦとは異なることを示すために使用される段階であって、
第２のＡＭＦは、現在、端末装置にサービスを提供するＡＭＦであり、第１のＡＭＦは、第２のＡＭＦが端末装置にサービスを提供する前に端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである段階と、を備える。
【０３７３】
例示的実施形態７アクセスおよびモビリティ管理ポリシーアソシエーションの終了方法であって、方法は、
第２のポリシー制御機能ＰＣＦによって、第２のアクセスおよびモビリティ管理機能ＡＭＦによって送信されるアソシエーション要求情報を受信する段階であって、アソシエーション要求情報は、端末装置のために第２のＰＣＦとＡＭポリシーアソシエーションを確立することを要求するために使用され、アソシエーション要求情報は、第２のＰＣＦが第１のＰＣＦと同一であるか否かを決定するために使用される第２の指示情報をさらに含む段階と、
第２のＰＣＦによって、第２の指示情報に従って、第２の削除要求情報を第１のＡＭＦに送信する段階であって、第２の削除要求情報は、第１のＡＭＦに、第１のＰＣＦと第１のＡＭＦとの間の端末装置のためのＡＭポリシー制御情報を削除するように要求するために使用される段階と、
第１のＰＣＦによって、端末装置のためのＡＭポリシー制御情報を保持する段階であって、ここで、第２のＡＭＦは、現在、端末装置にサービスを提供するＡＭＦであり、第１のＡＭＦは、第２のＡＭＦが端末装置にサービスを提供する前に端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである段階、を含む。
【０３７４】
例示的実施形態８第２のＰＣＦによって、第２の指示情報に従って第１のＡＭＦに第２の削除要求情報を送信する段階は、
第１のＰＣＦが第２のＰＣＦと同一である場合、第２のＰＣＦによって、第２の削除要求情報を第１のＡＭＦに送信する段階を備える、例示的実施形態７に記載の方法。
【０３７５】
例示的実施形態９第２の指示情報が、第１のＰＣＦの第１のＰＣＦ識別子情報を備え、
方法はさらに、第１のＰＣＦ識別子情報と第２のＰＣＦとに基づいて、第２のＰＣＦによって、第１のＰＣＦが第２のＰＣＦと同一であることを決定する段階を備える、例示的実施形態８に記載の方法。
【０３７６】
例示的実施形態１０アクセスおよびモビリティ管理ポリシーアソシエーションの終了方法であって、方法は、
第１のアクセスおよびモビリティ管理機能ＡＭＦによって、第２のポリシー制御機能ＰＣＦによって送信された第２の削除要求情報を受信する段階であって、第２の削除要求情報は、第１のＡＭＦに、第１のＰＣＦと第１のＡＭＦとの間の端末装置のためのＡＭポリシー制御情報の削除を要求するために使用され、第１のＰＣＦは、第２のＰＣＦと同一である段階と、
第１のＡＭＦによって、端末装置のためのＡＭポリシー制御情報を削除する段階であって、第１のＡＭＦは、第２のＡＭＦが端末装置にサービスを提供する前に端末装置にサービスを提供するＡＭＦであり、第２のＡＭＦは、現在、端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである段階と、を含む。
【０３７７】
例示的実施形態１１  アクセスおよびモビリティ管理ポリシーアソシエーションの終了装置であって、装置は、
第１のＰＣＦの第１のポリシー制御機能ＰＣＦ識別子情報を第２のＡＭＦに送信するように構成されている送信ユニットであって、
送信ユニットは、第１のＰＣＦに第１の削除要求情報を送信するようにさらに構成されており、第１の削除要求情報は、第１のＰＣＦと装置との間の端末装置のためのＡＭポリシーアソシエーションを削除するように第１のＰＣＦに要求するために使用され、第１のＰＣＦは、第２のＰＣＦとは異なるものである、送信ユニットと、
処理ユニットであって、処理ユニットは、端末装置のためのＡＭポリシー制御情報を削除するように構成されており、
第２のＡＭＦは、現在、端末装置にサービスを提供するＡＭＦであり、装置は、第２のＡＭＦが端末装置にサービスを提供する前に端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである、処理ユニットと、を含む。
【０３７８】
例示的実施形態１２  装置は、受信ユニットをさらに備え、
送信ユニットは、
受信ユニットが、予め設定された期間内に、第１のＰＣＦによって送信された第２の削除要求情報を受信していない場合、第１の削除要求情報を第２のＡＭＦに送信し、第２の削除要求情報は、第１のＰＣＦと装置との間で、端末装置のためのＡＭポリシー制御情報を削除するように装置に要求するために使用される、ように具体的に構成される、例示的実施形態１１に記載の装置。
【０３７９】
例示的実施形態１３  装置は受信ユニットをさらに備え、
処理ユニットは、
受信ユニットが統一されたデータ管理ＵＤＭから送信された登録解除情報を受信した後、タイマーを開始し、タイマーの期間は予め設定された期間であり、または、
受信ユニットが第１のＰＣＦ識別子情報を第２のＡＭＦに送信した後、タイマーを開始し、タイマーの期間は予め設定された期間であるようにさらに構成される、例示的実施形態１２に記載の装置。
【０３８０】
例示的実施形態１４  装置は受信ユニットをさらに備え、
受信ユニットは、
第２のＡＭＦによって送信された第２のＰＣＦの第２のＰＣＦ識別子情報を受信する、または、
第２のＡＭＦによって送信された第１の指示情報を受信し、第１の指示情報は、第１のＰＣＦが第２のＰＣＦと異なることを示すために使用される、ように構成される、例示的実施形態１１に記載の装置。
【０３８１】
例示的実施形態１５  アクセスおよびモビリティ管理ポリシーアソシエーションの終了装置であって、装置は、
第１のアクセスおよびモビリティ管理機能ＡＭＦによって送信された第１の削除要求情報を受信するように構成された受信ユニットであって、第１の削除要求情報は、装置と第１のＡＭＦとの間の端末装置のためのＡＭポリシーアソシエーションを削除するように装置に要求するために使用され、装置は、第２のＰＣＦとは異なるものである、受信ユニットと、
端末装置のＡＭポリシー制御情報を削除するように構成された処理ユニットであって、ここで、第１のＡＭＦは、第２のＡＭＦが端末装置にサービスを提供する前に端末装置にサービスを提供するＡＭＦであり、第２のＡＭＦは、現在、端末装置にサービスを提供するＡＭＦであり、装置は、第２のＰＣＦが端末装置にサービスを提供する前に端末装置にサービスを提供するＰＣＦであり、第２のＰＣＦは、現在、端末装置にサービスを提供するＰＣＦである、処理ユニットと、を備える。
【０３８２】
例示的実施形態１６アクセスおよびモビリティ管理ポリシーアソシエーションの終了装置であって、装置は、
第１のアクセスおよびモビリティ管理機能ＡＭＦから第１のＰＣＦの第１のポリシー制御機能ＰＣＦ識別子情報を受信するように構成された受信ユニットと、
第２のＰＣＦの第２のＰＣＦ識別子情報を第１のＡＭＦに送信するように構成された送信ユニットと、または、
第１のＡＭＦに第１の指示情報を送信するように構成された送信ユニットであって、第１の指示情報は、第２のＰＣＦが第１のＰＣＦと異なることを示すために使用される、送信ユニットと、を備え、
第２のＡＭＦは、現在、端末装置にサービスを提供するＡＭＦであり、第１のＡＭＦは、第２のＡＭＦが端末装置にサービスを提供する前に端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである、装置。
【０３８３】
例示的実施形態１７アクセスおよびモビリティ管理ポリシーアソシエーションの終了装置であって、装置は、
第２のアクセスおよびモビリティ管理機能ＡＭＦによって送信されたアソシエーション要求情報を受信するように構成された受信ユニットであって、アソシエーション要求情報は、端末装置のために装置とＡＭポリシーアソシエーションを確立するように要求するために使用され、アソシエーション要求情報は、第１のＰＣＦが装置と同一であるか否かを決定するために使用される第２の指示情報をさらに含む、受信ユニットと、
第２の指示情報に従って第２の削除要求情報を第１のＡＭＦに送信するように構成された送信ユニットであって、第２の削除要求情報は、第１のＡＭＦに第１のＰＣＦと第１のＡＭＦとの間の端末装置のためのＡＭポリシー制御情報を削除するように要求するために使用される、送信ユニットと、
端末装置のAMポリシー制御情報を保持するように構成された処理ユニットであって、
第２のＡＭＦは、現在、端末装置にサービスを提供するＡＭＦであり、第１のＡＭＦは、第２のＡＭＦが端末装置にサービスを提供する前に端末装置にサービスを提供するＡＭＦであり、装置は、現在、端末装置にサービスを提供するＰＣＦであり、第１のＰＣＦは、装置が端末装置にサービスを提供する前に端末装置にサービスを提供するＰＣＦである、処理ユニットと、を備える。
【０３８４】
例示的実施形態１８送信ユニットは、第１のＰＣＦが装置と同一である場合に、第２の削除要求情報を第１のＡＭＦに送信するように具体的に構成される、例示的実施形態１７に記載の装置。
【０３８５】
例示的実施形態１９第２の指示情報が、第１のＰＣＦの第１のＰＣＦ識別子情報を備え、
処理ユニットは、第１のＰＣＦ識別子情報と装置とに基づいて、第１のＰＣＦが装置と同一であることを決定する、ようにさらに構成される、例示的実施形態１８に記載の装置。
【０３８６】
例示的実施形態２０アクセスおよびモビリティ管理ポリシーアソシエーションの終了装置であって、装置は、
第２のポリシー制御機能ＰＣＦによって送信された第２の削除要求情報を受信するように構成された受信ユニットであって、第２の削除要求情報は、第１のＰＣＦと端末装置のための装置との間でＡＭポリシー制御情報を削除するように装置に要求するために使用され、第１のＰＣＦは第２のＰＣＦと同一である、受信ユニットと、
端末装置のAMポリシー制御情報を削除するように構成された処理ユニットであって、
装置は、第２のＡＭＦが端末装置にサービスを提供する前に端末装置にサービスを提供するＡＭＦであり、第２のＡＭＦは、現在、端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである、処理ユニットと、を含む。
【０３８７】
例示的実施形態２１コンピュータ可読記憶媒体であって、コンピュータ可読記憶媒体はコンピュータプログラムを記憶しており、コンピュータプログラムがコンピュータ上で実行されるとき、コンピュータは、例示的実施形態１から５のいずれかに記載の方法を実行し、または、コンピュータは、例示的実施形態６に記載の方法を実行し、または、コンピュータは、例示的実施形態７から９のいずれかに記載の方法を実行し、または、コンピュータは、例示的実施形態１０に記載の方法を実行する、コンピュータ可読記憶媒体。
【０３８８】
例示的実施形態２２チップシステムであって、
命令を記憶するように構成されたメモリと、
メモリから命令を呼び出して命令を実行するように構成されたプロセッサと、を備え、チップシステムが搭載されている通信装置が例示的実施形態１から５のいずれかに記載の方法を実行するように、または、通信装置が例示的実施形態６に記載の方法を実行するように、または、通信装置が例示的実施形態７から９のいずれかに記載の方法を実行するように、または、通信装置が例示的実施形態１０に記載の方法を実行するように構成されている、チップシステム。
【０３８９】
例示的実施形態２３コンピュータプログラムプロダクトであって、コンピュータプログラムプロダクトはコンピュータプログラムを備え、コンピュータプログラムがコンピュータ上で実行されるとき、コンピュータは、例示的実施形態１から５のいずれかに記載の方法を実行し、または、コンピュータは、例示的実施形態６に記載の方法を実行し、または、コンピュータは、例示的実施形態７から９のいずれかに記載の方法を実行し、または、コンピュータは、例示的実施形態１０に記載の方法を実行する、コンピュータプログラムプロダクト。
【０３９０】
例示的実施形態２４システムであって、システムは、第１のアクセスおよびモビリティ管理機能ＡＭＦと第２のＡＭＦとを備え、
第１のＡＭＦは、第１のＰＣＦの第１のポリシー制御機能ＰＣＦ識別子情報を第２のＡＭＦに送信するように構成され、
第２のＡＭＦは、第２のＰＣＦの第２のＰＣＦ識別子情報を第１のＡＭＦに送信するように構成され、第１のＰＣＦは第２のＰＣＦとは異なるものであり、または、第２のＡＭＦは、第１の指示情報を第１のＡＭＦに送信するように構成され、ここで、第１の指示情報は第１のＰＣＦが第２のＰＣＦとは異なるものであることを示すために使用され、
第１のＡＭＦは、第１のＰＣＦに第１の削除要求情報を送信するように構成され、第１の削除要求情報は、第１のＰＣＦに、第１のＰＣＦと第１のＡＭＦとの間の端末装置のためのＡＭポリシーアソシエーションを削除するように要求するために使用され、
第１のＡＭＦは、端末装置のためのＡＭポリシー制御情報を削除するようにさらに構成され、ここで、
第２のＡＭＦは、現在、端末装置にサービスを提供するＡＭＦであり、第１のＡＭＦは、第２のＡＭＦが端末装置にサービスを提供する前に端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである、システム。
【０３９１】
例示的実施形態２５  システムはさらに第１のＰＣＦを備え、第１のＰＣＦは、端末装置のために第１のＰＣＦと第１のＡＭＦとの間のＡＭポリシーアソシエーションを削除するように構成されている、例示的実施形態２４に記載のシステム。
【０３９２】
例示的実施形態２６システムであって、システムは、第１のアクセスおよびモビリティ管理機能ＡＭＦおよび第１のポリシー制御機能ＰＣＦを備え、
第１のＡＭＦは、第１のＰＣＦの第１のＰＣＦ識別子情報を第２のＡＭＦに送信するように構成され、
第１のＡＭＦは、第２のＡＭＦによって送信された第２のＰＣＦの第２のＰＣＦ識別子情報を受信するように構成され、第１のＰＣＦは第２のＰＣＦとは異なることを示すために使用され、または、第１のＡＭＦは、第２のＡＭＦによって送信された第１の指示情報を受信するように構成され、ここで、第１の指示情報は、第１のＰＣＦが第２のＰＣＦと異なることを示すために使用され、
第１のＡＭＦは、第１のＰＣＦに第１の削除要求情報を送信するように構成され、第１の削除要求情報は、第１のＰＣＦに、第１のＰＣＦと第１のＡＭＦとの間の端末装置のためのＡＭポリシーアソシエーションを削除するように要求するために使用され、
第１のＰＣＦは、第１のＰＣＦと第１のＡＭＦとの間の端末装置のためのＡＭポリシーアソシエーションを削除するように構成され、
第１のＡＭＦは、端末装置のＡＭポリシー制御情報を削除するようにさらに構成され、
第２のＡＭＦは、現在、端末装置にサービスを提供するＡＭＦであり、第１のＡＭＦは、第２のＡＭＦが端末装置にサービスを提供する前に端末装置にサービスを提供するＡＭＦであり、第２のＰＣＦは、現在、端末装置にサービスを提供するＰＣＦであり、第１のＰＣＦは、第２のＰＣＦが端末装置にサービスを提供する前に端末装置にサービスを提供するＰＣＦである、システム。
【０３９３】
例示的実施形態２７システムはさらに第２のＡＭＦを備え、第２のＡＭＦは第２のＰＣＦ識別子情報を第１のＡＭＦに送信するように構成され、または、第２のＡＭＦは第１の指示情報を第１のＡＭＦに送信するように構成される、例示的実施形態２６に記載のシステム。
【図１】
2021525041.tif 000003
【図２】
2021525041.tif 000004
【図３】
2021525041.tif 000005
【図４】
2021525041.tif 000006
【図５】
2021525041.tif 000007
【図６】
2021525041.tif 000008
【図７】
2021525041.tif 000009
【図８】
2021525041.tif 000010
【図９】
2021525041.tif 000011
【図１０】
2021525041.tif 000012
【図１１】
2021525041.tif 000013
【図１２】
2021525041.tif 000014
【図１３】
2021525041.tif 000015
【図１４】
2021525041.tif 000016
【図１５】
2021525041.tif 000017
【図１６】
2021525041.tif 000018
【図１７】
2021525041.tif 000019
【図１８】
2021525041.tif 000020
【図１９】
2021525041.tif 000021
【図２０】
2021525041.tif 000022
【図２１】
2021525041.tif 000023
【図２２】
2021525041.tif 000024
【国際調査報告】
2021525041.tif 000025
2021525041.tif 000026
2021525041.tif 000027
2021525041.tif 000028